(57)【要約】【課題】多種類の飲料提供機器に柔軟に対応でき、その結果、飲料を抽出によって調理する装置としての統一化を図ることができる飲料抽出装置を提供する。【解決手段】下面が開放するとともに原料および水が供給されるシリンダ２３と、シリンダ２３の下方に昇降自在に設けられたメッシュフィルタ７２と、を有するブリュア本体２０と、メッシュフィルタ７２よりもろ過の度合が高く、飲料をろ過するとともに、メッシュフィルタ７２の上側に残留した抽出滓を排出するための連続するペーパーフィルタＰを保持し、ペーパーフィルタＰをシリンダ２３とメッシュフィルタ７２の間に送り出し可能に構成されたペーパーフィルタ送出し装置２０１と、を備え、ペーパーフィルタ送出し装置２０１は、ブリュア本体２０に着脱自在に構成されるとともに、ブリュア本体２０に選択的に取り付けられる。【選択図】図６
2010179086.tif 000002
【特許請求の範囲】
【請求項１】
原料および水を用いて飲料を抽出するための飲料抽出装置であって、
下面が開放するとともに原料および水が供給される抽出容器と、この抽出容器の下方に昇降自在に設けられ、当該抽出容器内で抽出された飲料をろ過しながら搬出する際に、当該抽出容器の下面をシールした状態で繰り返し使用されるパーマネントフィルタと、を有する抽出装置本体と、
前記パーマネントフィルタよりもろ過の度合が高く、前記飲料をろ過するとともに、前記パーマネントフィルタの上側に残留した抽出後の原料である抽出滓を排出するための連続するペーパーフィルタを保持し、当該ペーパーフィルタを前記抽出容器と前記パーマネントフィルタの間に送り出し可能に構成されたペーパーフィルタ送出し装置と、
を備え、
前記ペーパーフィルタ送出し装置は、前記抽出装置本体に着脱自在に構成されるとともに、当該抽出装置本体に選択的に取り付けられることを特徴とする飲料抽出装置。
【請求項２】
前記抽出装置本体は、前記抽出滓を排出する抽出滓排出手段を、さらに有しており、
前記抽出装置本体および前記ペーパーフィルタ送出し装置を制御するための制御装置を、さらに備え、
当該制御装置は、前記ペーパーフィルタ送出し装置が前記抽出装置本体に取り付けられているときに、前記ペーパーフィルタ送出し装置を制御することによって、前記抽出滓を排出し、前記ペーパーフィルタ送出し装置が前記抽出装置本体に取り付けられていないときに、前記抽出滓排出手段を制御することによって前記抽出滓を排出することを特徴とする請求項１に記載の飲料抽出装置。
【請求項３】
前記抽出装置本体は、
前記パーマネントフィルタを駆動するための第１駆動源を有する本体駆動ユニットと、この本体駆動ユニットに着脱自在に取り付けられ、前記抽出容器および前記パーマネントフィルタを支持する抽出ユニットと、で構成されており、
前記本体駆動ユニットは、前記第１駆動源の周囲を覆った状態で、当該本体駆動ユニットの外郭を構成するケースを、さらに有していることを特徴とする請求項１または２に記載の飲料抽出装置。
【請求項４】
前記ペーパーフィルタは、ロール状に巻かれたロール部を有しており、
前記ペーパーフィルタ送出し装置は、
第２駆動源を有するペーパー駆動ユニットと、
前記ペーパーフィルタの前記ロール部を回転自在に保持するホルダ部と、前記第２駆動源で駆動されることによって、前記ホルダ部から前記ペーパーフィルタを引き出し、前記抽出容器と前記パーマネントフィルタの間に送り出す送出し機構と、を有するペーパーホルダユニットと、
で構成されていることを特徴とする請求項１ないし３のいずれかに記載の飲料抽出装置。
【請求項５】
前記ペーパー駆動ユニットおよび前記ペーパーホルダユニットは、互いに着脱自在に構成されていることを特徴とする請求項４に記載の飲料抽出装置。
【請求項６】
前記ペーパー駆動ユニットは、
スイッチと、
このスイッチを、ＯＮ状態に切り替えるＯＮ切替え位置と、ＯＦＦ状態に切り替えるＯＦＦ切替え位置とに移動自在の切替えレバーと、
この切替えレバーを前記ＯＮ切替え位置側に付勢する付勢手段と、をさらに有し、
前記ペーパーホルダユニットは、
前記ペーパーフィルタがペーパー切れであるか否かを検出するためのペーパー切れ検出レバーを、さらに有し、
当該ペーパー切れ検出レバーは、前記切替えレバーに係合するとともに、前記ペーパーフィルタのロール部の外周面に当接し、当該ペーパーフィルタの使用に伴って径が縮小する前記ロール部に追従しながら移動可能に構成され、当該ロール部が所定の径に達するまで、前記切替えレバーを、前記付勢手段の付勢力に抗して、前記ＯＦＦ切替え位置側に押圧し、当該ロール部が所定の径に達したときに、前記切替えレバーが前記ＯＮ切替え位置に位置するのを許容することを特徴とする請求項５に記載の飲料抽出装置。
【請求項７】
前記ペーパー切れ検出レバーは、前記ペーパーホルダユニットが前記ペーパー駆動ユニットに適正に取り付けられたときに、前記付勢手段の付勢力に抗して、前記切替えレバーを前記ＯＦＦ切替え位置側に押圧することを特徴とする請求項６に記載の飲料抽出装置。
【請求項８】
前記ペーパーホルダユニットは、
下面が開放し、前記ペーパーフィルタの前記ロール部を、その中心軸線が左右方向に延びるように収容するロール部収容ケースと、
このロール部収容ケースの左右の側壁に、当該ロール部収容ケースの内部に対して出没自在にかつ内方に突出するように設けられ、前記ロール部の左右の端面の中央部に係合した状態で、当該ロール部を回転自在に支持する左右のロール部支持部材と、を備え、
当該左右のロール部支持部材はいずれも、前記ロール部が前記ロール部収容ケースに対して着脱される際に、当該ロール部の左右の端面で押圧されることによって、前記ロール部収容ケースの対応する側壁側に退避するように構成されていることを特徴とする請求項４ないし７のいずれかに記載の飲料抽出装置。
【請求項９】
前記ペーパーフィルタ送出し装置が前記抽出装置本体の下側に取り付けられた状態において、
前記ペーパーフィルタは、前記抽出装置本体の内部を通り、当該抽出装置本体の前側において垂下するようにセットされることを特徴とする請求項４ないし８のいずれかに記載の飲料抽出装置。
【請求項１０】
前記抽出装置本体には、前記ペーパーフィルタをセットする際に、当該ペーパーフィルタが、前記抽出装置本体の下方から手動で挿し入れながら送られることにより、当該ペーパーフィルタの先端部を、前記抽出装置本体の内部に案内し、さらに、前記抽出容器と前記パーマネントフィルタの間を通って、前記抽出装置本体の前方に到達するように案内するペーパーガイド部材が設けられていることを特徴とする請求項９に記載の飲料抽出装置。
【請求項１１】
前記送出し機構は、
前記第２駆動源によって駆動され、前記ペーパーホルダユニットの前端部に回転自在に設けられたペーパー送りローラと、
このペーパー送りローラの前方に回転自在に設けられ、当該ペーパー送りローラとの間に、前記ペーパーフィルタの前記抽出装置本体の前側に垂下する部分を挟持するペーパー挟持ローラと、
を有することを特徴とする請求項９または１０に記載の飲料抽出装置。
【請求項１２】
前記送出し機構は、
前記ペーパー挟持ローラを回転自在に支持し、当該ペーパー挟持ローラを、前記ペーパー送りローラ側に押圧する押圧位置と、当該ペーパー送りローラから離隔する離隔位置との間で移動可能に構成されたペーパー挟持ローラ支持部材を、さらに有していることを特徴とする請求項１１に記載の飲料抽出装置。
【請求項１３】
前記ペーパー挟持ローラ支持部材は、前記押圧位置に位置するときに、前記ペーパー挟持ローラの上側に位置するとともに、前記ペーパーフィルタの前記抽出装置本体の前側に垂下する部分に前方から当接し、当該ペーパーフィルタから前記抽出滓を分離するための抽出滓分離部を有していることを特徴とする請求項１２に記載の飲料抽出装置。
【請求項１４】
前記ペーパー送りローラは、外周部の所定位置に、前記ペーパー挟持ローラとの間に所定間隔を隔てて、前記ペーパーフィルタを挟持しない非挟持部を有していることを特徴とする請求項１１ないし１３のいずれかに記載の飲料抽出装置。
【請求項１５】
前記ペーパーホルダユニットは、前記ペーパー駆動ユニットから取り外されたときに、前記ペーパー送りローラを、前記非挟持部が前記ペーパー挟持ローラに対向する位置にロックし、前記ペーパー駆動ユニットに取り付けられたときに、当該ロックを解除するペーパー送りローラロック機構を、さらに有していることを特徴とする請求項１４に記載の飲料抽出装置。
【請求項１６】
前記抽出ユニットは、上方に開放する漏斗状のフィルタセット部を有するとともに、当該フィルタセット部に前記パーマネントフィルタを下方から支持した状態にセットする支持部材を有し、
前記パーマネントフィルタは、プラスチックから成り、
上下方向に貫通する多数の細孔を有する平板状のフィルタ本体部と、
このフィルタ本体部の下面に突設され、前記フィルタセット部に載置されることにより、前記フィルタ本体部を水平に保持するフィルタ保持部と、
を有していることを特徴とする請求項３に記載の飲料抽出装置。
【請求項１７】
前記フィルタ保持部は、平面形状が格子状に形成された複数のリブを有していることを特徴とする請求項１６に記載の飲料抽出装置。
【請求項１８】
前記本体駆動ユニットは、前記抽出ユニットに係合することにより、当該抽出ユニットを当該本体駆動ユニットに取り付けられた状態にロックするロック部を、さらに有し、
前記抽出ユニットは、当該抽出ユニットを前記本体駆動ユニットから取り外すために操作される取外しレバーを有し、
当該取外しレバーは、前記ロック部による前記ロックが行われているときに、当該ロック部に押圧されることによって位置するロック位置と、前記ロック部による前記ロックが行われていないときに位置する非ロック位置とに移動自在に構成されていることを特徴とする請求項３に記載の飲料抽出装置。
【請求項１９】
前記抽出ユニットは、前面に開閉自在に設けられた前面カバーを、さらに有し、
前記取外しレバーは、前面にインジケータ部を有するとともに、前記前面カバーの後方に、左右方向に延びる軸線を中心として回動自在に設けられ、前記ロック位置に位置するときに前記インジケータ部の下端が前記前面カバーの下端と同じ高さに位置し、前記非ロック位置に位置するときに前記インジケータ部の下端が前記前面カバーの下端よりも下方に位置するように構成されていることを特徴とする請求項１８に記載の飲料抽出装置。
【請求項２０】
前記各ロール部支持部材は、
前記ロール部収容ケースの対応する側壁に貫通した状態に係合し、前記ロール部の端面の中央部に係合した状態で、当該ロール部を支持するためのロール部支持凸部と、
このロール部支持凸部から前記側壁に沿って延び、当該側壁の外側に配置された脚部と、
この脚部の両側において当該脚部の先端と異なる位置に設けられ、当該脚部の延び方向と直交しかつ前記側壁に沿って、互いに反対方向に突出する一対の支点軸部と、を有し、
前記側壁は、前記一対の支点軸部にそれぞれ係合し、当該一対の支点軸部を抜止め状態に支持する一対の抜止め支持部を有していることを特徴とする請求項８に記載の飲料抽出装置。
【請求項２１】
前記各抜止め支持部は、
前記ロール部収容ケースの対応する側壁に突設され、当該側壁との間に前記各支点軸部を収容する凹部を有する係合部と、
前記側壁の前記凹部の開口付近に設けられ、前記ロール部支持部材の前記側壁への取付けの際に前記凹部への前記支点軸部の圧入を許容し、当該支点軸部の当該凹部からの離脱を阻止する抜止め突起と、
を有することを特徴とする請求項２０に記載の飲料抽出装置。
【発明の詳細な説明】
【技術分野】
【０００１】
本発明は、カップ式自動販売機や飲料ディスペンサなどに内蔵され、コーヒー豆や茶葉などの原料を用いてコーヒーや茶系飲料などを抽出する飲料抽出装置に関する。
【背景技術】
【０００２】
一般に、この種の飲料抽出装置として、抽出された飲料をろ過するために、連続するペーパーフィルタを用いたものと、繰り返し使用されるいわゆるパーマネントフィルタを用いたものがある。従来、前者の飲料抽出装置（以下、適宜「ペーパー抽出装置」という）として、例えば特許文献１に開示されたものが知られており、後者の飲料抽出装置（以下、適宜「ペーパーレス抽出装置」という）として、例えば本出願人がすでに出願した特許文献２に開示されたものが知られている。
【０００３】
特許文献１のペーパー抽出装置は、下面が開放し、供給された原料および湯によって内部で飲料を抽出するシリンダと、その下方において昇降自在に設けられたフィルタブロックと、シリンダとフィルタブロックの間にペーパーフィルタを送り出すペーパー送出し機構などを備えている。一方、特許文献２のペーパーレス抽出装置は、上記と同様のシリンダと、上面にパーマネントフィルタを有し、シリンダの下方において昇降自在に設けられたフィルタブロックと、パーマネントフィルタ上に残留した抽出滓を排出するためのスクレーパなどを備えている。
【０００４】
一般に、ペーパー抽出装置では、ペーパーフィルタによって、シリンダ内で抽出された飲料をろ過することにより、通常サイズの粉や葉などの原料はもちろん、原料に含まれる微粉も除去でき、残渣がほとんど無い、高品質の飲料を提供できるという利点がある。一方、ペーパーレス抽出装置では、ペーパー送出し機構を備えていない分、装置全体をコンパクトに構成できるとともに、ペーパーフィルタが不要な分、ランニングコストを抑制できるという利点がある。加えて、ペーパーフィルタの廃棄や交換が不要な分、オペレータにとって、抽出装置の操作を簡易化できるという利点もある。このように、ペーパー抽出装置およびペーパーレス抽出装置には、それぞれの特性に応じた利点がある。そのため、カップ式自動販売機や飲料ディスペンサなどの飲料提供機器では、その製造時に、飲料提供機器の種類や、提供すべき飲料の種類、品質などに応じて選択された抽出装置が搭載される。
【先行技術文献】
【特許文献】
【０００５】
【特許文献１】特開平６−２５９６５２号公報
【特許文献２】特開２００８−１７１３８２号公報
【発明の概要】
【発明が解決しようとする課題】
【０００６】
しかし、ペーパー抽出装置およびペーパーレス抽出装置は、それぞれが専用品として製造されるため、両者の製造や将来のバージョンアップに備えた開発が別々に行われ、不経済である。また、ペーパー抽出装置およびペーパーレス抽出装置の一方を飲料提供機器に搭載した後における他方への変更は、飲料提供機器内のスペースや制御の関係上、非常に困難である。
【０００７】
本発明は、以上のような課題を解決するためになされたものであり、搭載すべき飲料提供機器の種類や提供すべき飲料の品質などに応じ、抽出装置本体に取付け可能なペーパーフィルタ送出し装置の有無を選択することにより、多種類の飲料提供機器に柔軟に対応でき、その結果、飲料を抽出によって調理する装置としての統一化を図ることができる飲料抽出装置を提供することを目的とする。
【課題を解決するための手段】
【０００８】
上記の目的を達成するために、請求項１に係る発明は、原料および水を用いて飲料を抽出するための飲料抽出装置であって、下面が開放するとともに原料および水が供給される抽出容器と、この抽出容器の下方に昇降自在に設けられ、抽出容器内で抽出された飲料をろ過しながら搬出する際に、抽出容器の下面をシールした状態で繰り返し使用されるパーマネントフィルタと、を有する抽出装置本体と、パーマネントフィルタよりもろ過の度合が高く、飲料をろ過するとともに、パーマネントフィルタの上側に残留した抽出後の原料である抽出滓を排出するための連続するペーパーフィルタを保持し、ペーパーフィルタを抽出容器とパーマネントフィルタの間に送り出し可能に構成されたペーパーフィルタ送出し装置と、を備え、ペーパーフィルタ送出し装置は、抽出装置本体に着脱自在に構成されるとともに、抽出装置本体に選択的に取り付けられることを特徴とする。
【０００９】
この構成によれば、飲料抽出装置は、上記の抽出装置本体およびペーパーフィルタ送出し装置を備えており、ペーパーフィルタ送出し装置が、抽出装置本体に対し、着脱自在に構成されるとともに、選択的に取り付けられる。
【００１０】
抽出装置本体にペーパーフィルタ送出し装置が取り付けられた飲料抽出装置では、抽出容器に原料および水が供給され、その抽出容器内で抽出された飲料が、抽出容器の下面をシールするパーマネントフィルタに加えて、ペーパーフィルタによってもろ過され、搬出される。この飲料抽出装置では、原料の残渣がほとんど無い、高品質の飲料を得ることができる。したがって、例えば、高品質の飲料の提供が求められる飲料提供機器などに搭載するのに適した飲料抽出装置を得ることができる。
【００１１】
一方、抽出装置本体にペーパーフィルタ送出し装置が取り付けられていない飲料抽出装置では、抽出容器内で抽出された飲料が、パーマネントフィルタによってろ過されながら搬出される。この飲料抽出装置では、ペーパーフィルタ送出し装置が無い分、飲料抽出装置全体をコンパクトに構成できるとともに、ペーパーフィルタが不要な分、ランニングコストを低減でき、加えて、ペーパーフィルタの廃棄や交換が不要な分、オペレータにとって、装置の操作を簡易化できる。したがって、例えば、比較的小さな飲料提供機器や操作が簡単な飲料提供機器などに搭載するのに適した飲料抽出装置を得ることができる。
【００１２】
以上のように、本発明の飲料抽出装置によれば、搭載すべき飲料提供機器の種類や提供すべき飲料の品質などに応じ、抽出装置本体に取付け可能なペーパーフィルタ送出し装置の有無を選択することにより、多種類の飲料提供機器に柔軟に対応でき、その結果、飲料を抽出によって調理する装置としての統一化を図ることができる。
【００１３】
請求項２に係る発明は、請求項１に記載の飲料抽出装置において、抽出装置本体は、抽出滓を排出する抽出滓排出手段を、さらに有しており、抽出装置本体およびペーパーフィルタ送出し装置を制御するための制御装置を、さらに備え、制御装置は、ペーパーフィルタ送出し装置が抽出装置本体に取り付けられているときに、ペーパーフィルタ送出し装置を制御することによって、抽出滓を排出し、ペーパーフィルタ送出し装置が抽出装置本体に取り付けられていないときに、抽出滓排出手段を制御することによって抽出滓を排出することを特徴とする。
【００１４】
この構成によれば、抽出装置本体が、抽出滓を排出する抽出滓排出手段を有しており、抽出装置本体およびペーパーフィルタ送出し装置が、制御装置によって制御される。この制御装置は、ペーパーフィルタ送出し装置が抽出装置本体に取り付けられているときに、ペーパーフィルタ送出し装置を制御することによって、抽出滓を排出する一方、ペーパーフィルタ送出し装置が取り付けられていないときに、上記抽出滓排出手段を制御することによって、抽出滓を排出する。このように、ペーパーフィルタ送出し装置の有無にかかわらず、単一の制御装置によって、抽出滓の排出を確実に行うことができる。
【００１５】
請求項３に係る発明は、請求項１または２に記載の飲料抽出装置において、抽出装置本体は、パーマネントフィルタを駆動するための第１駆動源を有する本体駆動ユニットと、この本体駆動ユニットに着脱自在に取り付けられ、抽出容器およびパーマネントフィルタを支持する抽出ユニットと、で構成されており、本体駆動ユニットは、第１駆動源の周囲を覆った状態で、本体駆動ユニットの外郭を構成するケースを、さらに有していることを特徴とする。
【００１６】
この構成によれば、抽出装置本体が、本体駆動ユニットおよび抽出ユニットで構成され、抽出ユニットが本体駆動ユニットに着脱自在に取り付けられている。本体駆動ユニットは、パーマネントフィルタを駆動するための第１駆動源を有する一方、抽出ユニットは、抽出容器およびパーマネントフィルタを支持している。つまり、実質的な飲料の抽出は、抽出容器およびパーマネントフィルタを支持する抽出ユニットにおいて行われる。飲料の抽出が繰り返し行われることにより、抽出容器やパーマネントフィルタに汚れが堆積するので、これらを洗浄などする際に、抽出ユニットを本体駆動ユニットから取り外し、簡単に洗浄を行うことができる。
【００１７】
また、本体駆動ユニットは、その外郭を構成するケースを有しており、このケースによって、第１駆動源が覆われている。一般に、カップ式自動販売機などの飲料提供機器では、内部の清掃のために、水を供給するいわゆるリンスバルブが設けられていることが多い。したがって、本体駆動ユニットが飲料提供機器内に固定されている場合などに、リンスバルブを利用して、外部から水をかけ、内部の第１駆動源を濡らすことなく、本体駆動ユニットの外側を洗浄することができる。
【００１８】
請求項４に係る発明は、請求項１ないし３のいずれかに記載の飲料抽出装置において、ペーパーフィルタは、ロール状に巻かれたロール部を有しており、ペーパーフィルタ送出し装置は、第２駆動源を有するペーパー駆動ユニットと、ペーパーフィルタのロール部を回転自在に保持するホルダ部と、第２駆動源で駆動されることによって、ホルダ部からペーパーフィルタを引き出し、抽出容器とパーマネントフィルタの間に送り出す送出し機構と、を有するペーパーホルダユニットと、で構成されていることを特徴とする。
【００１９】
この構成によれば、ペーパーフィルタ送出し装置が、ペーパー駆動ユニットおよびペーパーホルダユニットで構成されている。ペーパー駆動ユニットは、第２駆動源を有する一方、ペーパーホルダユニットは、ペーパーフィルタのロール部を回転自在に保持するホルダ部、およびこのホルダ部からペーパーフィルタを引き出し、抽出容器とパーマネントフィルタの間に送り出す送出し機構を有している。また、この送出し機構は、ペーパー駆動ユニット側の第２駆動源によって駆動される。このように、ペーパーフィルタ送出し装置が、ペーパーフィルタの保持・送出し機能を有するペーパーホルダユニットと、駆動機能を有するペーパー駆動ユニットとで、ユニット化されることにより、故障などの際のメンテナンスや交換をユニットごとに容易に行うことができる。
【００２０】
請求項５に係る発明は、請求項４に記載の飲料抽出装置において、ペーパー駆動ユニットおよびペーパーホルダユニットは、互いに着脱自在に構成されていることを特徴とする。
【００２１】
この構成によれば、ペーパー駆動ユニットおよびペーパーホルダユニットが、互いに着脱自在に構成されているので、上述したユニットごとのメンテナンスや交換を、より一層容易に行うことができる。
【００２２】
請求項６に係る発明は、請求項５に記載の飲料抽出装置において、ペーパー駆動ユニットは、スイッチと、このスイッチを、ＯＮ状態に切り替えるＯＮ切替え位置と、ＯＦＦ状態に切り替えるＯＦＦ切替え位置とに移動自在の切替えレバーと、この切替えレバーをＯＮ切替え位置側に付勢する付勢手段と、をさらに有し、ペーパーホルダユニットは、ペーパーフィルタがペーパー切れであるか否かを検出するためのペーパー切れ検出レバーを、さらに有し、ペーパー切れ検出レバーは、切替えレバーに係合するとともに、ペーパーフィルタのロール部の外周面に当接し、ペーパーフィルタの使用に伴って径が縮小するロール部に追従しながら移動可能に構成され、ロール部が所定の径に達するまで、切替えレバーを、付勢手段の付勢力に抗して、ＯＦＦ切替え位置側に押圧し、ロール部が所定の径に達したときに、切替えレバーがＯＮ切替え位置に位置するのを許容することを特徴とする。
【００２３】
この構成によれば、ペーパー駆動ユニットは、スイッチ、切替えレバーおよび付勢手段を有している。切替えレバーは、スイッチを、ＯＮ状態に切り替えるＯＮ切替え位置と、ＯＦＦ状態に切り替えるＯＦＦ切替え位置とに移動自在に構成され、付勢手段によって、ＯＮ切替え位置側に付勢されている。一方、ペーパーホルダユニットは、ペーパー切れ検出レバーを有しており、このペーパー切れ検出レバーが、切替えレバーに係合するとともに、ペーパーフィルタのロール部の外周面に当接し、ペーパーフィルタの使用に伴って径が縮小するロール部に追従しながら移動可能に構成されている。また、ペーパー切れ検出レバーは、ロール部が所定の径、例えば、ペーパー切れであると判断される程度に残量が少なくなったロール部の径に達するまで、付勢手段の付勢力に抗して、切替えレバーをＯＦＦ切替え位置側に押圧する。この場合、スイッチがＯＦＦ状態となることで、ペーパー切れでないと判別することが可能である。一方、ペーパー切れ検出レバーは、ロール部が所定の径に達したときに、切替えレバーがＯＮ切替え位置に位置するのを許容する。この場合、スイッチがＯＮ状態となることで、ペーパー切れであると判別することが可能となる。以上のように、ペーパー駆動ユニット側のスイッチのＯＮ／ＯＦＦ状態によって、ペーパーフィルタのペーパー切れを簡単かつ確実に判別することができる。
【００２４】
請求項７に係る発明は、請求項６に記載の飲料抽出装置において、ペーパー切れ検出レバーは、ペーパーホルダユニットがペーパー駆動ユニットに適正に取り付けられたときに、付勢手段の付勢力に抗して、切替えレバーをＯＦＦ切替え位置側に押圧することを特徴とする。
【００２５】
この構成によれば、ペーパーホルダユニットがペーパー駆動ユニットに適正に取り付けられたときに、ペーパー切れ検出レバーが、付勢手段の付勢力に抗して、切替えレバーをＯＦＦ切替え位置側に押圧する。この場合、スイッチはＯＦＦ状態となる。逆に言うと、ペーパーホルダユニットがペーパー駆動ユニットに適正に取り付けられていない状態は、ペーパーホルダユニットがペーパー駆動ユニットから取り外されることで、ペーパーホルダユニット側のペーパー切れ検出レバーが、ペーパー駆動ユニット側の切替えレバーから離れ、両者の係合が解除された状態と同じになる。この場合、ペーパー駆動ユニットにおいては、切替えレバーが付勢手段でＯＮ切替え位置側に付勢されるために、スイッチがＯＮ状態となる。つまり、ペーパーホルダユニットをペーパー駆動ユニットに取り付けたときに、本来、スイッチがＯＦＦ状態になるはずであるのに、スイッチが、ペーパーホルダユニットの取付け前と同様、ＯＮ状態に維持されることで、ペーパーホルダユニットが適正に取り付けられていないと判別することが可能である。以上のように、上記の構成によれば、ペーパー切れ検出レバーを利用して、ペーパーホルダユニットがペーパー駆動ユニットに適正に取り付けられているか否かを、容易に判別することができる。
【００２６】
請求項８に係る発明は、請求項４ないし７のいずれかに記載の飲料抽出装置において、ペーパーホルダユニットは、下面が開放し、ペーパーフィルタのロール部を、その中心軸線が左右方向に延びるように収容するロール部収容ケースと、このロール部収容ケースの左右の側壁に、ロール部収容ケースの内部に対して出没自在にかつ内方に突出するように設けられ、ロール部の左右の端面の中央部に係合した状態で、ロール部を回転自在に支持する左右のロール部支持部材と、を備え、左右のロール部支持部材はいずれも、ロール部がロール部収容ケースに対して着脱される際に、ロール部の左右の端面で押圧されることによって、ロール部収容ケースの対応する側壁側に退避するように構成されていることを特徴とする。
【００２７】
この構成によれば、ペーパーフィルタのロール部を収容するロール部収容ケースは、下面が開放しており、ロール部を、その中心軸線が左右方向に延びるように収容する。また、ロール部収容ケースの左右の側壁には、ロール部収容ケースの内部に対して出没自在にかつ内方に突出する左右のロール部支持部材が設けられており、これらのロール部支持部材により、ロール部の左右の端面の中央部に係合した状態で、ロール部が回転自在に支持される。
【００２８】
ペーパーフィルタのロール部をロール部収容ケースにセットする場合、ロール部収容ケースの下方からその内部に挿入する。この場合、左右のロール部支持部材は、ロール部の左右の端面で押圧され、対応する側壁側に退避する。そして、ロール部の左右の端面の中央部がロール部支持部材の位置に達したときに、ロール部による左右のロール部支持部材の押圧が解除されることで、退避していた両ロール部支持部材が内方に戻り、ロール部を支持する。このように、ペーパーフィルタのロール部をセットする場合、ロール部をロール部収容ケースに下方から挿入するだけで、ロール部のセットを行うことができる。一方、ペーパーフィルタの交換の際に、そのロール部をロール部収容ケースから取り外す場合、ロール部をロール部収容ケース内において上下方向に若干動かし、上記の場合と同様にして、ロール部の左右の端面で左右のロール部支持部材を押圧し、側壁側に退避させる。そして、この状態のまま、ロール部を下方に引き抜くだけで、ロール部を取り外すことができる。以上のように、ペーパーホルダユニットに対するペーパーフィルタのロール部のセットおよび取外しを簡単に行うことができる。
【００２９】
請求項９に係る発明は、請求項４ないし８のいずれかに記載の飲料抽出装置において、ペーパーフィルタ送出し装置が抽出装置本体の下側に取り付けられた状態において、ペーパーフィルタは、抽出装置本体の内部を通り、抽出装置本体の前側において垂下するようにセットされることを特徴とする。
【００３０】
この構成によれば、抽出時に使用されたペーパーフィルタが、抽出装置本体の前側において垂下するので、例えば、オペレータがペーパーフィルタから使用済み部分を切り離す際に、その切離し作業を抽出装置本体の前側において簡単に行うことができる。
【００３１】
請求項１０に係る発明は、請求項９に記載の飲料抽出装置において、抽出装置本体には、ペーパーフィルタをセットする際に、ペーパーフィルタが、抽出装置本体の下方から手動で挿し入れながら送られることにより、ペーパーフィルタの先端部を、抽出装置本体の内部に案内し、さらに、抽出容器とパーマネントフィルタの間を通って、抽出装置本体の前方に到達するように案内するペーパーガイド部材が設けられていることを特徴とする。
【００３２】
この構成によれば、ペーパーフィルタをセットする際に、そのペーパーフィルタを抽出装置本体の下方から手動で挿し入れながら送る。このペーパーフィルタは、ペーパーガイド部材により、抽出装置本体の内部に案内され、さらに、抽出容器とパーマネントフィルタの間を通って、抽出装置本体の前方に到達するように案内される。これにより、抽出装置本体へのペーパーフィルタのセットを簡単に行うことができる。
【００３３】
請求項１１に係る発明は、請求項９または１０に記載の飲料抽出装置において、送出し機構は、第２駆動源によって駆動され、ペーパーホルダユニットの前端部に回転自在に設けられたペーパー送りローラと、このペーパー送りローラの前方に回転自在に設けられ、ペーパー送りローラとの間に、ペーパーフィルタの抽出装置本体の前側に垂下する部分を挟持するペーパー挟持ローラと、を有することを特徴とする。
【００３４】
この構成によれば、ペーパーホルダユニットの前端部に回転自在に設けられたペーパー送りローラと、このペーパー送りローラの前方に回転自在に設けられたペーパー挟持ローラとによって、ペーパーフィルタの抽出装置本体の前側に垂下する部分を挟持する。そして、第２駆動源によって、ペーパー送りローラが所定方向に回転駆動されることにより、両ローラでペーパーフィルタを挟持しながら送り出す。これにより、ペーパーフィルタの使用済み部分を下方に送り出すとともに、次回の飲料の抽出に備えて、ロール部収容ケース内のロール部からペーパーフィルタを引き出し、ペーパーフィルタの使用済み部分に続く未使用部分を、抽出容器とパーマネントフィルタの間に移動させることができる。
【００３５】
請求項１２に係る発明は、請求項１１に記載の飲料抽出装置において、送出し機構は、ペーパー挟持ローラを回転自在に支持し、ペーパー挟持ローラを、ペーパー送りローラ側に押圧する押圧位置と、ペーパー送りローラから離隔する離隔位置との間で移動可能に構成されたペーパー挟持ローラ支持部材を、さらに有していることを特徴とする。
【００３６】
この構成によれば、ペーパー挟持ローラがペーパー挟持ローラ支持部材に回転自在に支持され、このペーパー挟持ローラ支持部材が、上記押圧位置と離隔位置との間で移動可能に構成されている。ペーパーフィルタをペーパー送りローラとペーパー挟持ローラの間に挟んだ状態にセットする際に、ペーパー挟持ローラ支持部材を離隔位置に移動させることにより、両ローラ間に比較的大きなスペースを確保でき、そのスペースにペーパーフィルタを通した後で、ペーパー挟持ローラ支持部材を押圧位置に移動させることにより、ペーパーフィルタの両ローラ間のセットを簡単に行うことができる。
【００３７】
請求項１３に係る発明は、請求項１２に記載の飲料抽出装置において、ペーパー挟持ローラ支持部材は、押圧位置に位置するときに、ペーパー挟持ローラの上側に位置するとともに、ペーパーフィルタの抽出装置本体の前側に垂下する部分に前方から当接し、ペーパーフィルタから抽出滓を分離するための抽出滓分離部を有していることを特徴とする。
【００３８】
この構成によれば、ペーパー挟持ローラ支持部材が抽出滓分離部を有しており、この抽出滓分離部は、ペーパー挟持ローラ支持部材が押圧位置に位置するときに、ペーパー挟持ローラの上側に位置するとともに、ペーパーフィルタの抽出装置本体の前側に垂下する部分に前方から当接する。これにより、ペーパー送りローラとペーパー挟持ローラによるペーパーフィルタの送出しの際に、抽出後にペーパーフィルタ上に残留した抽出滓を、両ローラの上流側において、抽出滓分離部でペーパーフィルタから分離し、排出することができる。これにより、抽出滓が、ペーパー送りローラとペーパー挟持ローラの間に詰まるのを防止でき、両ローラによるペーパーフィルタの円滑な送出しを確保することができる。また、ペーパーフィルタの使用済み部分と抽出滓を分離して、バケツなどに収容できるので、両者を分離せずにバケツに収容する場合に比べて、バケツ内で折り畳まれるように収容されるペーパーフィルタの嵩を小さくでき、収容効率を高めることができる。さらに、例えば、抽出滓とペーパーフィルタを別個のバケツに収容することなどにより、両者を分別して廃棄することができ、廃棄処理の利便性を向上させることができる。
【００３９】
請求項１４に係る発明は、請求項１１ないし１３のいずれかに記載の飲料抽出装置において、ペーパー送りローラは、外周部の所定位置に、押圧位置に位置するペーパー挟持ローラとの間に所定間隔を隔てて、ペーパーフィルタを挟持しない非挟持部を有していることを特徴とする。
【００４０】
この構成によれば、ペーパー送りローラの外周部の所定位置には、ペーパー挟持ローラとの間に所定間隔を隔てて、ペーパーフィルタを挟持しない非挟持部が設けられているので、その非挟持部をペーパー挟持ローラに対向させることにより、ペーパー送りローラとペーパー挟持ローラの間に隙間を確保することができる。したがって、ペーパーフィルタをペーパー送りローラとペーパー挟持ローラの間にセットする際に、上記隙間にペーパーフィルタを通すことにより、ペーパーフィルタの両ローラ間のセットを行うことができる。また、ペーパーフィルタの送出し以外の待機時に、非挟持部がペーパー挟持ローラに対向するように、ペーパー送りローラの停止角度位置を設定することにより、飲料抽出装置のメンテナンスなど際に、ペーパーフィルタを両ローラの下方に、手動で簡単に引き出すことができる。加えて、飲料の抽出時におけるパーマネントフィルタの上昇に伴い、ペーパーフィルタがパーマネントフィルタ側に引っ張られた場合でも、ペーパーフィルタがペーパー送りローラとペーパ挟持ローラで挟持されていないので、ペーパーフィルタが破れるなどの不具合を回避することができる。
【００４１】
請求項１５に係る発明は、請求項１４に記載の飲料抽出装置において、ペーパーホルダユニットは、ペーパー駆動ユニットから取り外されたときに、ペーパー送りローラを、非挟持部がペーパー挟持ローラに対向する位置にロックし、ペーパー駆動ユニットに取り付けられたときに、ロックを解除するペーパー送りローラロック機構を、さらに有していることを特徴とする。
【００４２】
この構成によれば、ペーパーホルダユニットがペーパー駆動ユニットから取り外されたときに、ペーパー送りローラは、ペーパー送りローラロック機構により、非挟持部がペーパー挟持ローラに対向する位置にロックされる。上述したように、待機時に、非挟持部がペーパー挟持ローラに対向するように、ペーパー送りローラが停止していることが好ましい。したがって、メンテナンスなどの際に、ペーパーホルダユニットがペーパー駆動ユニットから取り外され、再度、ペーパー駆動ユニットに取り付けられるまで、ペーパー送りローラの停止角度位置を保つことができるので、待機時におけるペーパー送りローラの上記停止角度位置を確保することができる。また、ペーパー送りローラのロックの解除は、ペーパーホルダユニットをペーパー駆動ユニットに取り付けるだけで、簡単に行うことができる。
【００４３】
請求項１６に係る発明は、請求項３に記載の飲料抽出装置において、抽出ユニットは、上方に開放する漏斗状のフィルタセット部を有するとともに、フィルタセット部にパーマネントフィルタを下方から支持した状態にセットする支持部材を有し、パーマネントフィルタは、プラスチックから成り、上下方向に貫通する多数の細孔を有する平板状のフィルタ本体部と、このフィルタ本体部の下面に突設され、フィルタセット部に載置されることにより、フィルタ本体部を水平に保持するフィルタ保持部と、を有していることを特徴とする。
【００４４】
この構成によれば、抽出ユニットが、パーマネントフィルタを下方から支持する支持部材を有しており、この支持部材の漏斗状のフィルタセット部にパーマネントフィルタがセットされる。抽出容器内で抽出された飲料の搬出時には、その飲料がフィルタ本体の多数の細孔を通って、フィルタセット部側に流れ、支持部材の外部に搬出される。この場合、フィルタ本体部の下面に突設されたフィルタ保持部がフィルタセット部に載置されることにより、フィルタ本体部が水平に保持されるので、飲料を搬出するために、フィルタ本体部に比較的高い圧力が作用しても、フィルタ本体部が変形することはない。これにより、抽出容器からの飲料の円滑かつ安定した搬出を確保することができる。また、金属製に比べて安価なプラスチック製のパーマネントフィルタを採用することにより、飲料抽出装置の製造コストを低減することができる。さらに、プラスチックは一般に、金属に比べて熱伝導率が低いので、プラスチック製のパーマネントフィルタを採用することにより、抽出容器内で抽出される飲料の温度低下を抑制することができる。これにより、例えば、温かい飲料を抽出する場合でも、その抽出温度を高く維持したり、温度低下した飲料の温度を上昇させたりするためのヒータなどを設ける必要がなく、省エネを図ることができる。
【００４５】
請求項１７に係る発明は、請求項１６に記載の飲料抽出装置において、フィルタ保持部は、平面形状が格子状に形成された複数のリブを有していることを特徴とする。
【００４６】
この構成によれば、比較的簡単な構成のフィルタ保持部によって、フィルタ本体部を安定して水平に保持することができる。
【００４７】
請求項１８に係る発明は、請求項３に記載の飲料抽出装置において、本体駆動ユニットは、抽出ユニットに係合することにより、抽出ユニットを本体駆動ユニットに取り付けられた状態にロックするロック部を、さらに有し、抽出ユニットは、抽出ユニットを本体駆動ユニットから取り外すために操作される取外しレバーを有し、取外しレバーは、ロック部によるロックが行われているときに、ロック部に押圧されることによって位置するロック位置と、ロック部によるロックが行われていないときに位置する非ロック位置とに移動自在に構成されていることを特徴とする。
【００４８】
この構成によれば、本体駆動ユニットのロック部が抽出ユニットに係合することにより、この抽出ユニットは、本体駆動ユニットに取り付けられた状態にロックされる。また、抽出ユニットには、抽出ユニットを本体駆動ユニットから取り外すために操作される取外しレバーが設けられている。この取外しレバーは、ロック部によるロックが行われているとき、すなわち、抽出ユニットが本体駆動ユニットに適正に取り付けられているときには、ロック部に押圧されることによって、ロック位置に位置する。一方、ロック部によるロックが行われていないとき、すなわち、抽出ユニットが本体駆動ユニットから取り外されているとき、および抽出ユニットが本体駆動ユニットに適正に取り付けられていないときには、取外しレバーは、非ロック位置に位置する。したがって、抽出ユニットを本体駆動ユニットに取り付けた作業者は、取外しレバーの位置を視認することによって、抽出ユニットが本体駆動ユニットに適正に取り付けられているか否かを容易に判断することができる。例えば、抽出ユニットを本体駆動ユニットに取り付けた場合でも、取外しレバーの位置が非ロック位置に位置するときには、ロック部によるロックが適正に行われておらず、したがって、抽出ユニットが本体駆動ユニットに適正に取り付けられていないと判断することができる。
【００４９】
請求項１９に係る発明は、請求項１８に記載の飲料抽出装置において、抽出ユニットは、前面に開閉自在に設けられた前面カバーを、さらに有し、取外しレバーは、前面にインジケータ部を有するとともに、前面カバーの後方に、左右方向に延びる軸線を中心として回動自在に設けられ、ロック位置に位置するときにインジケータ部の下端が前面カバーの下端と同じ高さに位置し、非ロック位置に位置するときにインジケータ部の下端が前面カバーの下端よりも下方に位置するように構成されていることを特徴とする。
【００５０】
この構成によれば、抽出ユニットの前面に、前面カバーが開閉自在に設けられ、その前面カバーの後方には、前面にインジケータ部を有する取外しレバーが、左右方向に延びる軸線を中心として回動自在に設けられている。この取外しレバーがロック位置に位置するときには、インジケータ部の下端が前面カバーの下端と同じ高さに位置する一方、取外しレバーが非ロック位置に位置するときには、インジケータ部の下端が前面カバーの下端よりも下方に位置する。したがって、抽出ユニットの前方から、前面カバーの下端を基準として、インジケータ部の下端の位置を視認するだけで、抽出ユニットが本体駆動ユニットに適正に取り付けられているか否かを容易に判断することができる。
【００５１】
請求項２０に係る発明は、請求項８に記載の飲料抽出装置において、各ロール部支持部材は、ロール部収容ケースの対応する側壁に貫通した状態に係合し、ロール部の端面の中央部に係合した状態で、ロール部を支持するためのロール部支持凸部と、このロール部支持凸部から側壁に沿って延び、側壁の外側に配置された脚部と、この脚部の両側において脚部の先端と異なる位置に設けられ、脚部の延び方向と直交しかつ側壁に沿って、互いに反対方向に突出する一対の支点軸部と、を有し、側壁は、一対の支点軸部にそれぞれ係合し、一対の支点軸部を抜止め状態に支持する一対の抜止め支持部を有していることを特徴とする。
【００５２】
この構成によれば、各ロール部支持部材では、ペーパーフィルタのロール部を支持するためのロール部支持凸部が、ロール部収容ケースの対応する側壁に貫通した状態に係合し、このロール部支持凸部から側壁に沿って延びる脚部が、側壁の外側に配置されている。また、この脚部の両側においてその先端と異なる位置に設けられた一対の支点軸部が、脚部の延び方向と直交しかつ側壁に沿って、互いに反対方向に突出している。そして、これらの支点軸部が、側壁に設けられた一対の支持部にそれぞれ係合し、抜止め状態に支持されている。
【００５３】
ペーパーフィルタのロール部をロール部収容ケースにセットしたり、取り外したりする場合、各ロール部支持部材では、ロール部支持凸部がロール部で押圧されることによって、脚部が一対の支点軸部を支点として撓み、それにより、ロール部支持凸部が、対応する側壁側に退避する。そして、ロール部の中央部がロール支持凸部の位置に達したり、ロール部が取り外されたりすることにより、ロール部支持凸部への押圧が解除されることで、撓んでいた脚部が元に戻り、それにより、ロール部支持凸部も元の位置に戻る。このように、比較的簡単な構成のロール部支持部材を有するペーパーホルダユニットにおいて、ロール部収容ケースへのペーパーフィルタのロール部のセットおよび取外しを簡単に行うことができる。
【００５４】
請求項２１に係る発明は、請求項２０に記載の飲料抽出装置において、各抜止め支持部は、ロール部収容ケースの対応する側壁に突設され、側壁との間に各支点軸部を収容する凹部を有する係合部と、側壁の凹部の開口付近に設けられ、ロール部支持部材の側壁への取付けの際に凹部への支点軸部の圧入を許容し、支点軸部の凹部からの離脱を阻止する抜止め突起と、を有することを特徴とする。
【００５５】
この構成によれば、各ロール部支持部材をロール部収容ケースの対応する側壁に取り付ける場合、ロール部支持部材の各支点軸部を、対応する抜止め支持部の係合部に対し、その凹部の開口と抜止め突起との隙間から圧入する。そして、係合部の凹部に収容された支点軸部は、抜止め防止突起によって、凹部からの離脱が阻止される。このように、ロール部支持部材を、ロール部収容ケースの対応する側壁に、抜止め状態で直接取り付けることができる。
【図面の簡単な説明】
【００５６】
【図１】本発明の一実施形態による飲料抽出装置をペーパーフィルタ式のコーヒー抽出装置に適用し、これを備えたカップ式自動販売機の内部構造を模式的に示す図である。
【図２】本発明の一実施形態による飲料抽出装置をパーマネントフィルタ式のコーヒー抽出装置に適用し、これを備えたカップ式自動販売機の内部構造を模式的に示す図である。
【図３】自動販売機内の各種機器の制御を示すブロック図である。
【図４】ペーパーブリュアを示す斜視図であり、（ａ）は右上から、（ｂ）は左上から見たときの状態を示す。
【図５】メッシュブリュアを示す斜視図であり、（ａ）は右上から、（ｂ）は左上から見たときの状態を示す。
【図６】ペーパーブリュアを、ユニットごとに分解して示す斜視図である。
【図７】シリンダがシリンダホルダから取り外された状態のドリップユニットを示す斜視図である。
【図８】シリンダを示す図であり、（ａ）は平面図、（ｂ）は（ａ）のｂ−ｂ線に沿う断面図である。
【図９】シリンダホルダを示す図であり、（ａ）は平面図、（ｂ）は正面図である。
【図１０】シリンダホルダの外側カバーを省略したドリップユニットを示す斜視図であり、（ａ）は前側から見たときの状態、（ｂ）は後ろ側から見たときの状態を示す。
【図１１】シリンダホルダの右側壁の内部構造を示す側面図であり、（ａ）は外側カバーを省略した状態、（ｂ）は（ａ）のカム円板のカム溝を表示した状態を示す。
【図１２】カム溝を表示したカム円板を拡大して示す図である。
【図１３】図９に示すシリンダホルダをXIII−XIII線で切断した状態を示す図である。
【図１４】本体駆動ユニットからのドリップユニットの取外しを説明するための説明図であり、取外しレバーの操作前の状態を示す。
【図１５】図１４と同様の説明図であり、取外しレバーの操作後の状態を示す。
【図１６】（ａ）はペーパーブリュアの本体駆動ユニットを示す斜視図であり、（ｂ）は本体駆動ユニットから、ユニットカバーおよびペーパーガイドプレートを取り外した状態を示す斜視図である。
【図１７】（ａ）はメッシュブリュアの本体駆動ユニットを示す斜視図であり、（ｂ）は本体駆動ユニットからスクレーパを取り外した状態を示す斜視図である。
【図１８】本体駆動ユニットの内部構造を示す左側面図である。
【図１９】メッシュブリュアの本体駆動ユニットの内部構造を示す左側面図である。
【図２０】本体駆動ユニットの内部構造を示す右側面図である。
【図２１】ペーパーフィルタ送出し装置を示す斜視図であり、（ａ）は右上から、（ｂ）は左上から見たときの状態を示す。
【図２２】ペーパーホルダユニットを示す斜視図であり、（ａ）はペーパーセットドアを閉鎖した状態、（ｂ）はペーパーセットドアを開放した状態を示す。
【図２３】（ａ）はペーパーホルダユニットの平面図、（ｂ）は（ａ）のｂ−ｂ線に沿う断面図である。
【図２４】（ａ）は、ペーパーホルダユニットの左側壁のカバーを省略した状態を示す左側面図であり、（ｂ）は（ａ）のｂ−ｂ線に沿う断面図である。
【図２５】ペーパー切れ検出レバーを説明するための図であり、（ａ）は平面図、（ｂ）は左側面図である。
【図２６】ドラム駆動機構のロック構造を説明するための図であり、（ａ）はロック状態、（ｂ）はロック解除状態を示す。
【図２７】ペーパー駆動ユニットを示す斜視図であり、（ａ）は右上から、（ｂ）は左上から見たときの状態を示す。
【図２８】ペーパーホルダユニットとペーパー駆動ユニットの相互の連結を説明するための説明図であり、（ａ）は両ユニットを離した状態、（ｂ）は両ユニットを連結した状態を示す。
【図２９】コーヒーの販売動作の実行処理（メインルーチン）を示すフローチャートである。
【図３０】抽出滓排出用イニシャル処理（サブルーチン）を示すフローチャートである。
【図３１】コーヒー抽出処理（サブルーチン）を示すフローチャートである。
【図３２】大容量抽出処理（サブルーチン）を示すフローチャートである。
【図３３】抽出滓排出処理（サブルーチン）を示すフローチャートである。
【図３４】コーヒー販売時におけるペーパーブリュアの動作を順に説明するための説明図であり、（ａ）は待機状態、（ｂ）はシリンダへの原料および湯の供給状態、（ｃ）はシリンダへの後湯の供給状態を示す。
【図３５】図３４に続く説明図であり、（ａ）はシリンダヘッドが前進し、シリンダの真上に位置した状態、（ｂ）はシリンダヘッドがシリンダの上面をシールした状態、（ｃ）はコーヒーの搬出終了後、シリンダヘッドによるシリンダの上面のシールを解除した状態を示す。
【図３６】図３５に続く説明図であり、（ａ）はシリンダヘッドが後退して待機位置に戻り、開放されたシリンダへの１回目のリンス湯の投入状態、（ｂ）はフィルタブロックが下降し、シリンダへの２回目のリンス湯の投入状態、（ｃ）はペーパーフィルタの送出しによって抽出滓を排出した状態を示す。
【図３７】コーヒー販売時にコーヒーの増量が選択されたときのペーパーブリュアの動作を説明するための図であり、（ａ）は１回目のコーヒーの搬出終了後にシリンダへの追加湯の供給状態、（ｂ）は追加湯の供給後にシリンダヘッドがシリンダの上面をシールした状態を示す。
【図３８】コーヒー販売時において、抽出滓を前方に排出する際のメッシュブリュアの動作を順に説明するための説明図であり、（ａ）は待機状態、（ｂ）はシリンダへの原料および湯の供給状態、（ｃ）はシリンダへの後湯の供給状態を示す。
【図３９】図３８に続く説明図であり、（ａ）はシリンダヘッドが前進し、シリンダの真上に位置した状態、（ｂ）はシリンダヘッドがシリンダの上面をシールした状態、（ｃ）はコーヒーの搬出終了後、シリンダヘッドによるシリンダの上面のシールを解除した状態を示す。
【図４０】図３９に続く説明図であり、（ａ）はシリンダヘッドが後退して待機位置に戻り、開放されたシリンダへの１回目のリンス湯の投入状態、（ｂ）はフィルタブロックが下降し、シリンダへの２回目のリンス湯の投入状態、（ｃ）はスクレーパによって抽出滓を前方に排出した状態を示す。
【図４１】図４０に続く説明図であり、（ａ）はフィルタブロックが待機位置に戻った状態、（ｂ）はスクレーパが待機位置に戻った状態を示す。
【図４２】コーヒー販売時において、抽出滓を後方に排出する際のメッシュブリュアの動作を順に説明するための説明図であり、（ａ）は待機状態、（ｂ）スクレーパが前進し、前側待機位置に位置した状態、（ｃ）はシリンダへの原料および湯の供給状態を示す。
【図４３】図４２に続く説明図であり、（ａ）〜（ｃ）は図３９の（ａ）〜（ｃ）にそれぞれ対応する図である。
【図４４】図４３に続く説明図であり、（ａ）および（ｂ）は図４０の（ａ）および（ｂ）にそれぞれ対応し、（ｃ）はスクレーパによって抽出滓を後方に排出した状態を示す。
【図４５】コーヒー抽出装置の動作状態における各ピンチおよびカム円板の回転角度の関係を示す一覧表である。
【図４６】メッシュフィルタの変形例としてのプラスチックフィルタを示す斜視図であり、（ａ）は上方から見たときの状態、（ｂ）は下方から見たときの状態を示す。
【図４７】プラスチックフィルタを備えたフィルタブロックを示す縦断面図である。
【図４８】取外しレバーの変形例として、装着の適否を表示する機能を有する取外しレバーを備えたドリップユニットにおいて、本体駆動ユニットに対するドリップユニットの装着の適否を説明するための説明図であり、適正な装着状態を示す。
【図４９】図４８と同様の説明図であり、不適正な装着状態を示す。
【図５０】ロール部支持部材の取付け構造の変形例を説明するための図であり、（ａ）は図２４（ａ）に対応する図、（ｂ）は（ａ）のｂ−ｂ線に沿う断面図、（ｃ）はロール部支持部材の取付け前の状態を示す。
【発明を実施するための形態】
【００５７】
以下、図面を参照しながら、本発明の好ましい実施形態を詳細に説明する。図１および２は、ペーパーフィルタ式およびパーマネントフィルタ式のコーヒー抽出装置をそれぞれ備えたカップ式自動販売機の内部構造を模式的に示している。両図に示すように、これらのカップ式自動販売機１は、コーヒー抽出装置２（飲料抽出装置）により、コーヒー豆および湯（水）を用いてコーヒーを抽出し、購入者にカップ入りのレギュラーコーヒーを提供するものである。
【００５８】
ペーパーフィルタ式のコーヒー抽出装置２は、抽出されたコーヒーを、後述するペーパーフィルタＰおよびメッシュフィルタ７２でろ過するタイプのものであり、一方、パーマネントフィルタ式のコーヒー抽出装置２は、抽出されたコーヒーを、メッシュフィルタ７２のみでろ過するタイプのものである。
【００５９】
なお、以下の説明では、ペーパーフィルタ式およびパーマネントフィルタ式のコーヒー抽出装置２を区別する場合には、それぞれを適宜、「ペーパーブリュア２Ａ」および「メッシュブリュア２Ｂ」と称呼するものとする。また、ペーパーブリュア２Ａを備えたカップ式自動販売機１と、メッシュブリュア２Ｂを備えたカップ式自動販売機１とを区別する場合には適宜、前者に符号「１Ａ」を、後者に符号「１Ｂ」を付すものとする。
【００６０】
図１および図２に示すように、カップ式自動販売機１は、コーヒー抽出装置２と、このコーヒー抽出装置２に、所定量のコーヒー粉および湯をそれぞれ供給する原料供給装置３および給湯装置４と、コーヒー抽出装置２によって抽出されたコーヒーをクリームや砂糖とともに混合するミキシングボウル５と、このミキシングボウル５にクリームや砂糖を供給するクリーム・砂糖供給装置６とを備えている。また、これらは、図３に示すように、マイクロコンピュータを有する制御装置７によって制御される。
【００６１】
原料供給装置３は、コーヒー豆を収納する複数（図１および図２ではいずれも２つのみ図示）のキャニスタ１１と、コーヒー豆を挽くミル１２とを備えている。販売時に、キャニスタ１１からシュート１１ａを介してミル１２に供給されたコーヒー豆は、ミル１２によって粉末状に挽かれ、そのコーヒー粉（以下「原料」という）が、シュート１２ａを介してコーヒー抽出装置２に供給される。給湯装置４は、湯を貯留する温水タンク１３と、電磁弁で構成された湯弁１４とを備えており、販売時やコーヒー抽出装置２のリンス時に、湯弁１４が開放することにより、温水タンク１３から所定量の湯が給湯チューブ１５を介してコーヒー抽出装置２に供給される。ミキシングボウル５は、コーヒー抽出装置２によって抽出されたコーヒーを、クリーム・砂糖供給装置６からシュート６ａを介して供給された所定量のクリームや砂糖とともに攪拌する。その後、ミキシングボウル５内のコーヒーは、ミキシングボウル５に接続された飲料チューブ１６を介して、商品取出口１０にセットされたカップＣに供給される。
【００６２】
次に、コーヒー抽出装置２について詳述する。図４はペーパーブリュア２Ａを、図５はメッシュブリュア２Ｂを示している。両図に示すように、ペーパーブリュア２Ａおよびメッシュブリュア２Ｂは、コーヒーの抽出を実質的に行うブリュア本体２０（抽出装置本体）がほぼ共通しており、前者２Ａは、ブリュア本体２０に後述するペーパーフィルタ送出し装置２０１を取り付けたものである一方、後者２Ｂは、ブリュア本体２０のみで構成されたものである。
【００６３】
図６は、ペーパーブリュア２Ａを、後述するユニットごとに分解して示している。なお、以下の説明ではまず、両ブリュア２Ａおよび２Ｂに共通のブリュア本体２０について、両ブリュア２Ａおよび２Ｂの相違点も含めて説明し、その後で、ペーパーブリュア２Ａにおけるペーパーフィルタ送出し装置２０１について説明する。
【００６４】
ブリュア本体２０は、コーヒーを抽出するためのドリップユニット２１（抽出ユニット）と、このドリップユニット２１を駆動する本体駆動ユニット２２で構成されている。本体駆動ユニット２２は、自動販売機１内にねじ止めなどで固定されており、この本体駆動ユニット２２に、ドリップユニット２１が着脱自在に取り付けられている。
【００６５】
ドリップユニット２１は、原料および湯が供給され、内部においてコーヒーの抽出を行うためのシリンダ２３（抽出容器）と、このシリンダ２３を着脱自在に収容するシリンダホルダ２４とで構成されている。
【００６６】
図７は、シリンダ２３がシリンダホルダ２４から取り外された状態を示している。このシリンダ２３は、プラスチックから成り、同図および図８に示すように、上下方向に延びるとともに上面および下面が開放し、所定のサイズ（例えば、高さ：１０２ｍｍ、容積：３２８ｍｌ）を有する円筒状に形成されている。また、シリンダ２３の外周面には、シリンダ２３をシリンダホルダ２４に着脱する際に利用される取っ手２５およびガイド部２６が設けられている。ガイド部２６は、互いに上下方向に所定間隔を隔てて設けられ、上下対称に形成された上下２つのガイド部２６、２６で構成されている。
【００６７】
また、シリンダ２３の内面には、シリンダ２３に供給された湯を内面の周方向に沿って案内するための湯案内壁２７が設けられている。図８に示すように、湯案内壁２７は、シリンダ２３の上端付近と上下方向の中央部との間において、シリンダ２３の内面に沿って設けられるとともに内方に若干突出し、平面形状が取っ手２５の反対側に開放するＵ字状に形成されている。さらに、シリンダ２３の内面には、その内面に沿って下方に流れた湯を、シリンダ２３の下半部において周方向に拡散させるための湯拡散凸部２８が設けられている。この湯拡散凸部２８は、シリンダ２３の上下方向の中央部において、内方に向かってテーパ状に所定長さ突出し、シリンダ２３の周方向の全体にわたって延びている。
【００６８】
図９に示すように、シリンダホルダ２４は、内側にシリンダ収容部２４ａを有するボックス状に形成されており、内側の下部に昇降自在に設けられ、シリンダ２３内のコーヒーをろ過しながら外部に搬送するためのフィルタブロック３２と、シリンダ収容部２４ａに収容されたシリンダ２３を左右から挟んだ状態で保持するシリンダキャッチャ３４と、上端部において回動自在に支持され、シリンダホルダ２４の前面を開閉する前面カバー３５などを備えている。
【００６９】
また、シリンダホルダ２４は、その外郭が、互いに所定間隔を隔てて対向する左右の側壁４１、４１と、両側壁４１、４１の後端部間にわたり、その上半部を覆うように設けられた背壁４２と、両側壁４１、４１の下端部間わたるように設けられた底壁４３などで構成されており、前面、上面および背面下半部が開放されている。なお、図示しないが、底壁４３は、複数の棒状部材によって格子状に形成されている。また、左右の側壁４１、４１の上部には、前端寄りの位置に、両側壁４１、４１間を連結する前上カバー３６が設けられ、この前上カバー３６の後方に、シリンダホルダ２４の上面を覆うホルダカバー３７が着脱自在に取り付けられている。
【００７０】
さらに、左右の側壁４１、４１の前端部および後端部にはそれぞれ、下部の所定位置に、ペーパーフィルタＰを案内するためのガイドローラ３８および３９が着脱自在に取り付けられている。これらのガイドローラ３８、３９は、左右の側壁４１、４１間にわたって左右方向に延び、両側壁４１、４１に回転自在に支持されている。また、両ガイドローラ３８、３９は、ペーパーブリュア２Ａのシリンダホルダ２４には取り付けられる一方、メッシュブリュア２Ｂでは、取り外される（図５参照）。
【００７１】
シリンダホルダ２４の左右の側壁４１、４１の各々は、側面形状がほぼ矩形状に形成されるとともに、外側の側面が開放したケース状の側壁本体４４と、その開放した側面を覆うように、側壁本体４４にねじ止めされた外カバー４５とを備えている。そして、図１０に示すように、各側壁４１内には、フィルタブロック３２および後述するシリンダヘッド１０１を駆動することによって、シリンダ２３の下面および上面をそれぞれ開閉するシリンダ開閉機構５１が設けられている。なお、左右のシリンダ開閉機構５１、５１は、左右の側壁４１、４１内に、ほぼ左右対称に構成されているので、以下の説明では、右側壁４１に内蔵されたものを中心に説明する。
【００７２】
図１０および図１１に示すように、シリンダ開閉機構５１は、側壁本体４４内の上半部の中央付近に突設された支軸４４ａに回転自在に支持され、所定形状の第１および第２カム溝５３および５４を有するカム円板５５と、側壁本体４４内の下半部に上下方向にスライド自在に設けられ、カム円板５５の第１カム溝５３に係合するとともにフィルタブロック３２に連結されたスライダ５６と、側壁本体４４内の上部の所定位置に突設された支軸４４ｂに回転自在に支持され、カム円板５５の第２カム溝５４に係合するとともに、後述するシリンダヘッド１０１をシリンダ２３の上面に押圧した状態でロックするためのシリンダヘッドロック部材５７とを備えている。
【００７３】
カム円板５５は、所定の直径および厚さを有する円板状に形成されており、周面全体にギヤ部５５ａが形成されている。また、カム円板５５の外カバー４５側の周縁部には、ほぼ１／２円弧分、径方向に若干突出した凸部５５ｂが設けられている。さらに、カム円板５５の側壁本体４４側の側面に、前記第１および第２カム溝５３、５４が設けられている。
【００７４】
図１２に示すように、第１カム溝５３は、カム円板５５の側面の周縁部に設けられ、カム円板５５の支軸４４ａを中心とする円弧状にかつ反時計方向にほぼ一周するように延びる外側カム部６１と、この外側カム部６１に連なり、支軸４４ａに向かって円弧状に延びる駆動カム部６２と、この駆動カム部６２に連なり、支軸４４ａを中心とする円弧状にかつ支軸４４ａの付近でほぼ一周するように延びる内側カム部６３とで構成されている。また、外側カム部６１のうち、駆動カム部６２付近の所定角度部分（以下「近接部６１ａ」という）は、それ以外の外側カム部６１に比べて、支軸４４ａ寄りに形成されている。
【００７５】
一方、第２カム溝５４は、第１カム溝５３の外側カム部６１よりも内側に設けられ、支軸４４ａを中心とする円弧状にかつ外側カム部６１の先端部付近から反時計方向にほぼ３／４円弧状に延びる外側カム部６４と、この外側カム部６４に連なり、支軸４４ａに向かって延びる駆動カム部６５と、この駆動カム部６５に連なり、支軸４４ａを中心とする円弧状に延びる内側カム部６６とで構成されている。
【００７６】
スライダ５６は、図１１（ｂ）に示すように、上下方向に延びるとともに下部が下方に向かって拡幅していて、ほぼ凸字状に形成されている。このスライダ５６の上端部には、カム円板５５側に突出する係合凸部５６ａが設けられており、この係合凸部５６ａが、カム円板５５の第１カム溝５３に摺動自在に係合している。また、スライダ５６の下端部には、スライダ５６と前記フィルタブロック３２とを連結する２本の連結シャフト７１、７１が固定されている。両連結シャフト７１、７１は、互いに前後方向（図１１では左右方向）に間隔を隔てかつ左右方向（図１１では図の表裏方向）に平行に延びている。各連結シャフト７１は、側壁本体４４の上下方向に延びる長孔４４ｃを貫通し、一端部が上記スライダ５６に固定される一方、他端部が左側のシリンダ開閉機構５１のスライダ５６に固定されている。したがって、フィルタブロック３２は、両連結シャフト７１、７１を介して、左右のスライダ５６、５６に支持されている。また、スライダ５６の中央部には、上下方向に延びる長孔５６ｂが形成されており、この長孔５６ｂに、側壁本体４４内の下部の所定位置に突設された支軸４４ｄが摺動自在に貫通している。
【００７７】
以上のように構成されたスライダ５６は、カム円板５５の回転に伴い、側壁本体４４内の上下方向に延びる一対のガイドレール４４ｅ、４４ｅ間に案内されながら、上下方向にスライドする。これに伴い、フィルタブロック３２が昇降し、シリンダ２３の下面を開閉する。具体的には、図１０（ａ）および図１１に示すカム円板５５が、両図の時計方向に回転し、スライダ５６の係合凸部５６ａが、第１カム溝５３の外側カム部６１から内側カム部６３に向かって、駆動カム部６２を摺動することにより、スライダ５６が上昇する。
【００７８】
そして、スライダ５６の係合凸部５６ａが、内側カム部６３に到達することにより、ペーパーブリュア２Ａのドリップユニット２１では、フィルタブロック３２がシリンダ２３の下面に、ペーパーフィルタＰを介して密着した状態で、これをシールする（図３４（ｂ）参照）。一方、メッシュブリュア２Ｂのドリップユニット２１では、フィルタブロック３２がシリンダ２３の下面に直接、密着した状態で、これをシールする（図３８（ｂ）、図４２（ｃ）参照）。そして、それらの状態から、カム円板５５が、反時計方向に回転し、スライダ５６が下降することにより、フィルタブロック３２も下降し、それにより、シリンダ２３の下面が開放される（図３６（ｂ）、図４０（ｂ）、図４４（ｂ）参照）。
【００７９】
図９、１０および１３に示すように、フィルタブロック３２は、コーヒーをろ過するための円形のメッシュフィルタ７２（パーマネントフィルタ）と、このメッシュフィルタ７２の周囲を囲むように設けられた幅広リング状のパッキン７３と、これらを上面において支持するとともに、上下に連通した通路を有するブロック状の支持部材７４などで構成されている。メッシュフィルタ７２は、シリンダ２３の内径よりも一回り小さい薄板状の金属板（例えばステンレス板）から成り、所定の径（例えば３０μｍ）を有する多数の細孔が形成されている。このように構成されたフィルタブロック３２は、前述したように、スライダ５６の上下方向のスライドに伴って昇降し、シリンダ２３の下面の閉鎖時には、パッキン７３の上面がシリンダ２３の下面周縁部に当接した状態で、これをシールする。この場合、ペーパーブリュア２Ａでは、フィルタブロック３２が、シリンダ２３との間にペーパーフィルタを挟持する一方、メッシュブリュア２Ｂでは、フィルタブロック３２がシリンダ２３に直接、当接する。
【００８０】
また、フィルタブロック３２の支持部材７４と、右側壁４１の背面下端部に設けられたジョイントホース４０（図１０参照）との間には、フィルタブロックチューブ３２ａが接続されている。なお、ジョイントホース４０は、ドリップユニット２１が本体駆動ユニット２２に取り付けられた状態において、本体駆動ユニット２２側の後述するジョイントホース１４０に接続される。
【００８１】
また、図１０（ａ）および図１１に示すように、右側の側壁４１の下端部には、上記ジョイントホース４０に接続された廃液チューブ５０が設けられるとともに、この廃液チューブ５０を開閉する廃液チューブピンチ部材５８が設けられている。廃液チューブ５０は、ゴムなどの弾性材で構成されており、ジョイントホース４０から前方に水平に延びる水平部５０ａを有し、この水平部５０ａから下方に延びている。また、廃液チューブピンチ部材５８は、上下方向に延びる板状に形成されており、上端部には、スライダ５６の長孔５６ｂに摺動自在に係合する係合凸部５８ａが設けられる一方、下端部には、廃液チューブ５０の水平部５０ａの下側に、これを横切るように突出しかつ台形状の断面を有する押圧部５８ｂが設けられている。さらに、廃液チューブ５０の水平部５０ａの上側には、廃液チューブピンチ部材５８と協働して廃液チューブ５０をピンチし、これを閉鎖するための押さえばね５９が設けられている。この押さえばね５９は、細長い板ばねで構成されており、廃液チューブ５０の水平部５０ａに沿って延び、これに接するように配置されている。また、押さえばね５９の両端部は、上方に折り曲げられ、側壁本体４４内の廃液チューブピンチ部材５８の前後（図１１では左右）に設けられた２つの支持部４４ｆ、４４ｆに支持されている。
【００８２】
上記のように構成された廃液チューブピンチ部材５８は、カム円板５５の回転に伴うスライダ５６の昇降に連動して、昇降する。具体的には、図１１に示す状態から、スライダ５６が上昇すると、その長孔５６ｂの下端部が廃液チューブピンチ部材５８の係合凸部５８ａに当接する。そして、スライダ５６がさらに上昇すると、廃液チューブピンチ部材５８が、係合凸部５８ａを介して持ち上げられることにより、上昇する。それにより、廃液チューブピンチ部材５８の押圧部５８ｂが、廃液チューブ５０の水平部５０ａを下方から押し潰し、それにより、廃液チューブ５０が閉鎖される（図３４（ｂ）など参照）。なお、この状態から、スライダ５６が下降することにより、廃液チューブピンチ部材５８も下降し、元の位置に戻る。
【００８３】
また、図１１（ｂ）に示すように、シリンダヘッドロック部材５７は、上下方向に延びる所定形状に形成され、その中心部が、側壁本体４４内の支軸４４ｂに回動自在に支持されている。シリンダヘッドロック部材５７の下端部には、カム円板５５側に突出した係合凸部５７ａが設けられており、この係合凸部５７ａが、カム円板５５の前記第２カム溝５４に摺動自在に係合している。また、シリンダヘッドロック部材５７の上端部には、後方に突出するように延びる鉤状のロック部５７ｂが設けられている。
【００８４】
このように構成されたシリンダヘッドロック部材５７は、カム円板５５の回転に伴って回動し、上端部のロック部５７ｂによって、後述するシリンダヘッド１０１をシリンダ２３の上面に押圧しかつロックすることにより、シリンダ２３の上面をシールする。具体的には、図１１（ｂ）および図１２に示すカム円板５５が、両図の時計方向に回転し、シリンダヘッドロック部材５７の係合凸部５７ａが、第２カム溝５４の外側カム部６４から内側カム部６６に向かって、駆動カム部６５を摺動することにより、シリンダヘッドロック部材５７が、支軸４４ｂを中心として、図１１（ｂ）の時計方向に回動する。そして、シリンダヘッドロック部材５７のロック部５７ｂが、後述するシリンダヘッド１０１の上部のヘッドガイドロッド１１３に係合するとともに、これを下方に押し下げるようにロックする。それにより、シリンダヘッド１０１がシリンダ２３の上面に密着した状態で、これをシールする（図３５（ｂ）など参照）。
【００８５】
以上のように構成されたシリンダ開閉機構５１は、前述したように、左右の側壁４１、４１にそれぞれ内蔵されており、両シリンダ開閉機構５１、５１のカム円板５５のギヤ部５５ａ、５５ａが、対応する側壁本体４４内の所定位置に回転自在に設けられたギヤ７６、７６に噛み合っている。図１０に示すように、両ギヤ７６、７６は、左右方向に水平に延びる動力伝達シャフト７５の両端部に固定されており、各ギヤ７６が対応する側壁本体４４内の後端部の上下方向の中央部に配置されている。同図（ｂ）に示すように、左側の側壁本体４４に設けられたギヤ７６（以下「従動ジョイントギヤ７６Ａ」という）は、後方に若干露出しており、ドリップユニット２１が駆動ユニット２２に取り付けられた状態において、駆動ユニット２２側の後述する駆動ジョイントギヤ１２４に噛み合う。したがって、従動ジョイントギヤ７６ａが回転すると、これに噛み合う左側のカム円板５５が回転し、動力伝達シャフト７５および右側のギヤ７６を介して、右側のカム円板５５が左側のそれに同期して回転する。
【００８６】
また、左右の側壁４１、４１にはそれぞれ、ドリップユニット２１を本体駆動ユニット２２から取り外す際に操作される取外しレバー８４、８４が設けられている。図１１に示すように、取外しレバー８４は、前後方向に延び、その長さ方向のほぼ中央において、前記支軸４４ｄに回動自在に支持されている。取外しレバー８４の前端部（図１１の左端部）の操作部８４ａは、側壁４１の外部に臨むとともに、側壁４１の前部に設けられかつ前方に開放した凹部４１ａの内側に位置している。また、取外しレバー８４の後端部は、下方に所定長さ延びており、その下端部に、側方に突出する取外し凸部８４ｂが設けられている。この取外し凸部８４ｂは、図６などに示すように、側壁４１の外カバー４５の所定位置に形成された長孔４５ａを介して、外部に突出している。
【００８７】
ここで、図６、図１４および図１５を参照して、本体駆動ユニット２２に対するドリップユニット２１の着脱構造について説明する。図６および図１４に示すように、ドリップユニット２１の左右の側面（外カバー４５）には、後端部の所定位置に上下２つの係合凸部４５ｂ、４５ｂが設けられている。各係合凸部４５ｂは、外方に若干突出し、側面形状が下方に開口するコ字状に形成されている。また、ドリップユニット２１の左右の側壁４１、４１には、背面の上端部および下端部に、後方に開放し、計４つの支持孔４１ｂ（図１０（ｂ）参照）が形成されている。
【００８８】
一方、本体駆動ユニット２２の前部の左右端部にはそれぞれ、ドリップユニット２１の上下の係合凸部４５ｂ、４５ｂに対応するように、前方に突出する上下２つの鉤状のロック部８５、８５が設けられている。図１４（ｂ）に示すように、これらのロック部８５、８５は、上下方向に延びかつ側面形状が前方に開口するコ字状の連結部材８６の上下の前端部に、それぞれ取り付けられている。また、左右の連結部材８６、８６は、上端部において板ばね８７で連結されるとともに、下方に付勢されている。さらに、本体駆動ユニット２２の左右両端部には、ドリップユニット２１の４つの支持孔４１ｂにそれぞれ対応する位置に、前方に突出する計４つの支持突起８８（図６参照）が設けられている。
【００８９】
以上のように構成されたドリップユニット２１側および本体駆動ユニット２２側の着脱構造により、図１４（ｂ）に示すように、ドリップユニット２１を本体駆動ユニット２２の前側に取り付けた状態では、後者２２の各支持突起８８が前者２１の各支持孔４１ｂに挿入されるとともに、後者２２の各ロック部８５が前者２１の各係合凸部４５ｂに係合する。これにより、ドリップユニット２１は、本体駆動ユニット２２の前側にしっかりと取り付けられる。一方、ドリップユニット２１を本体駆動ユニット２２から取り外す場合には、図１５（ｂ）に示すように、ドリップユニット２１の前面カバー３５を若干開放し、左右の取外しレバー８４の操作部８４ａを同時に押し下げる。これにより、各取外しレバー８４の取外し凸部８４ｂが、本体駆動ユニット２２側の下側のロック部８５を、板ばね８７の付勢力に抗して押し上げ、その結果、上下のロック部８５、８５が、ドリップユニット２１の上下の係合凸部４５ｂ、４５ｂから外れる。そして、その状態のまま、ドリップユニット２１を前方に引き出すことにより、ドリップユニット２１が本体駆動ユニット２２から取り外される。
【００９０】
また、図１０（ｂ）に示すように、ドリップユニット２１の左側壁４１内には、ドリップユニット２１を本体駆動ユニット２２から取り外したときに、カム円板５５を回転不能にするためのカムロック機構８９が設けられている。このカムロック機構８９は、所定形状に形成され、従動ジョイントギヤ７６Ａの下方において上下方向にスライド自在のロック部材８９ａと、このロック部材８９ａを上方に付勢するばね８９ｂとで構成されている。ドリップユニット２１が本体駆動ユニット２２から取り外されたときには、ロック部材８９ａが、従動ジョイントギヤ７６Ａに下方から係合することで、そのギヤ７６Ａを回転不能にする。これにより、従動ジョイントギヤ７６Ａに噛み合うカム円板５５も回転不能となる。一方、ドリップユニット２１が本体駆動ユニット２２に取り付けられたときには、本体駆動ユニット２２の前側に突設されたロック解除凸部９０（図６参照）が、上記ロック部材８９ａに係合し、これを下方に押し下げることで、ロック部材８９ａによる従動ジョイントギヤ７６Ａのロックを解除する。これにより、従動ジョイントギヤ７６Ａが回転可能となり、それにより、カム円板５５も回転可能となる。
【００９１】
上記のように、ドリップユニット２１が本体駆動ユニット２２から取り外された状態において、カム円板５５を回転不能にロックするのは、次の理由による。すなわち、カム円板５５の回転角度の制御は、後述するように、本体駆動ユニット２２に設けられ、カム円板５５と同期して回転するスイッチギヤ１２５ａを有するモードスイッチ１２５を利用して行われる。そのため、スイッチギヤ１２５ａとカム円板５５の回転角度の整合性を保つ必要があるからである。
【００９２】
次に、シリンダホルダ２４内に収容されたシリンダ２３を把持するシリンダキャッチャ３４について説明する。図９に示すように、シリンダキャッチャ３４は、平面形状が前方に開口するコ字状の支持部材９１と、この支持部材９１の左右の前端部にそれぞれ固定された左右の把持部材９２、９２で構成されている。支持部材９１は、板ばねから成り、左右方向に所定長さ延びる基部９１ａと、この基部９１ａの左右端部においてそれぞれ直角に屈曲し、前方に所定長さ延びる左右２つのアーム部９１ｂ、９１ｂとで構成されている。基部９１ａは、背壁４２の内側面にねじ止めされている。そして、両アーム部９１ｂ、９１ｂの前端部に、前記把持部材９２、９２が固定されている。両把持部材９２、９２は、互いに対向し、それらの対向面が凸状に形成されている。
【００９３】
このように構成されたシリンダキャッチャ３４により、シリンダホルダ２４のシリンダ収容部２４ａに収容されたシリンダ２３は、支持部材９１のばね力により、左右の把持部材９２、９２によって左右からしっかりと挟持される。
【００９４】
図４〜図６に示すように、シリンダホルダ２４の上面を覆うホルダカバー３７は、平面形状がほぼ矩形状に形成されており、原料をシリンダ２３に投入するための原料投入口３７ａ、シリンダ２３に湯を供給するための湯供給口３７ｂ、およびコーヒーの調理時に発生する湯気を排出するための湯気排出口３７ｃが設けられている。原料投入口３７ａには、ミル１２のシュート１２ａ（図１、２参照）が接続され、湯供給口３７ｂには、給湯チューブ１５（図１、２参照）が接続され、そして、湯気排出口３７ｃには、湯気抜き用のホース（図示せず）が接続されている。
【００９５】
次に、図１６〜図２０を参照しながら、本体駆動ユニット２２について説明する。本体駆動ユニット２２は、上述したドリップユニット２１のカム円板５５、およびシリンダ２３の上面を開閉するシリンダヘッド１０１を駆動するとともに、シリンダ２３にエアを供給し、さらに、メッシュブリュア２Ｂでは、抽出滓を排出するためのスクレーパ１０２（抽出滓排出手段）を駆動するものである。
【００９６】
図１６および図１７はそれぞれ、ペーパーブリュア２Ａおよびメッシュブリュア２Ｂの本体駆動ユニット２２を示している。両図に示すように、本体駆動ユニット２２は、その前壁を構成するプラスチック製のフレーム１０３（ケース）と、このフレーム１０３の上部から前方に突出し、前後方向に移動自在に設けられた前記シリンダヘッド１０１と、カム円板５５を駆動するカム駆動機構１０４と、シリンダヘッド１０１およびスクレーパ１０２を駆動するシリンダヘッド・スクレーパ駆動機構１０５と、後述する複数のピンチ８を駆動するピンチ駆動機構１０６と、シリンダ２３にエアを供給するエアポンプ１０７などを備えている。上記のカム駆動機構１０４、シリンダヘッド・スクレーパ駆動機構１０５、ピンチ駆動機構１０６、およびエアポンプ１０７は、フレーム１０３の背面側に取り付けられており、前面および底面が開放されたボックス状のユニットカバー１０８（ケース）によって覆われている。
【００９７】
シリンダヘッド１０１は、平面形状がシリンダ２３の上面よりも大きい円形のヘッド本体１１１と、フレーム１０３の上部に設けられた上部開口１０３ａを貫通した状態で、前後方向に移動自在に設けられ、前端部においてヘッド本体１１１を上下に若干揺動自在に支持するスライダ１１２とを有している。ヘッド本体１１１は、後述する第１エア搬送チューブ９Ａに接続されており、ヘッド本体１１１の底面の所定位置には、第１エア搬送チューブ９Ａを介して搬送されたエアを下方に送り出すためのエア供給口（図示せず）が設けられている。また、ヘッド本体１１１の上端部には、ヘッド本体１１１の外形よりも長く、左右方向に延びるヘッドガイドロッド１１３が設けられている。このヘッドガイドロッド１１３は、ドリップユニット２１が本体駆動ユニット２２に取り付けられた状態において、シリンダホルダ２４の左右の側壁４１、４１の上端部に、前後方向に摺動自在に係合する。
【００９８】
さらに、ヘッド本体１１１の前半上部には、前記ホルダカバー３７の原料投入口３７ａからの原料、および湯供給口３７ｂからの湯を、シリンダ２３に案内する原料・湯案内部材１１４が取り付けられている。この原料・湯案内部材１１４は、ヘッド本体１１１の前方に設けられた補助原料シュート１１５と、この補助原料シュート１１５の左方に設けられた湯案内受け部１１６とで一体に構成されている。補助原料シュート１１５は、上下方向に延びる筒状に形成されており、シリンダヘッド１０１が待機位置に位置するときに、ホルダカバー３７の原料投入口３７ａとシリンダ２３の間に位置し、原料投入口３７ａから投入された原料を、さらにシリンダ２３に案内する。
【００９９】
一方、湯案内受け部１１６は、上面が開放するケース状に形成されており、シリンダヘッド１０１が待機位置に位置するときに、ホルダカバー３７の湯供給口３７ｂから供給された湯を、さらにシリンダ２３に案内するとともに、湯供給口３７ｂから後だれする湯を受けることで、その湯でシリンダヘッド１０１が濡れるのを防止する。また、湯案内受け部１１６の底壁の前端部には、上下方向に貫通し、下方に若干突出する補助給湯ノズル１１６ａが設けられている。この補助給湯ノズル１１６ａは、シリンダヘッド１０１が待機位置に位置するときに、シリンダ２３内の湯案内壁２７に真上から臨む位置に配置されている。したがって、湯供給口３７ｂから湯案内受け部１１６に流入し、補助給湯ノズル１１６ａから吐出した湯は、シリンダ２３内の湯案内壁２７に上方から当たり、この湯案内壁２７によって、シリンダ２３の内面の周方向に案内されながら、シリンダ２３内に流れ落ちる。また、シリンダ２３の内面を伝って流れ落ちる湯は、シリンダ２３内の湯拡散凸部２８に一旦、受けられ、さらにシリンダ２３の内面の周方向に拡がりながら、下方に流れる。以上のようにして、湯がシリンダ２３に供給される。
【０１００】
図１６（ａ）に示すように、ペーパーブリュア２Ａの本体駆動ユニット２２では、フレーム１０３の中央部に設けられた中央部開口１０３ｂを前方から覆った状態で、上下方向に延びるペーパーガイドプレート１０９（ペーパーガイド部材）が取り付けられている。このペーパーガイドプレート１０９は、フレーム１０３の下半部を覆うとともに、側面形状が後方に凸湾曲する湾曲部１０９ａと、この湾曲部１０９ａから斜め下後方に所定長さ延びる傾斜部１０９ｂとを有している。
【０１０１】
ペーパーフィルタＰをドリップユニット２１のシリンダ２３とフィルタブロック３２の間にセットする際に、ペーパーブリュア２Ａの下方から、ペーパーフィルタＰを手動で挿し入れながら送ることにより、ペーパーフィルタＰの先端部が、ペーパーガイドプレート１０９の傾斜部１０９ｂに沿って上方に案内され、さらに湾曲部１０９ａに沿って前方に案内される。これにより、ペーパーフィルタＰは、ドリップユニット２１の後ろ側から、シリンダ２３とフィルタブロック３２の間を通って、ドリップユニット２１の前方に到達する。このように、ペーパーガイドプレート１０９を利用して、ペーパーフィルタＰのセットを簡単に行うことができる。
【０１０２】
また、図１７（ａ）に示すように、メッシュブリュア２Ｂの本体駆動ユニット２２では、フレーム１０３の中央部開口１０３ｂに、スクレーパ１０２がセットされる。同図（ｂ）に示すように、スクレーパ１０２は、平面形状がフィルタブロック３２のそれよりも一回り大きい矩形枠状に形成されたサポート１０２ａと、サポート１０２ａにその前端部から垂下するように取り付けられ、正面形状が横長矩形状のゴム製のスクレーパ本体１０２ｂとで構成されている。サポート１０２ａの後端部には、左右方向に延びるとともに上方に開口した係合溝１０２ｃが設けられており、この係合溝１０２の所定位置に、後方に開口する切欠き１０２ｄが形成されている。
【０１０３】
このように構成されたスクレーパ１０２は、フレーム１０３の中央部開口１０３の左右の縁部にガイドされながら、前後方向にスライド可能になっている。そして、このスクレーパ１０２が、シリンダヘッド・スクレーパ駆動機構１０５によって駆動されることにより、前端部のスクレーパ本体１０２ｂがフィルタブロック３２上を前後方向に移動する。それにより、コーヒー抽出後にメッシュフィルタ７２上に残留した原料である抽出滓は、スクレーパ本体１０２ｂで掻き取られ、ドリップユニット２１の前方または後方に排出される。
【０１０４】
図１８に示すように、カム駆動機構１０４は、ＤＣモータから成る第１モータ１２１（第１駆動源）と、この第１モータ１２１にギヤボックス１２２（図２０参照）を介して接続された出力ギヤ１２３と、この出力ギヤ１２３に噛み合うとともに、ドリップユニット２１が本体駆動ユニット２２に取り付けられた状態において、ドリップユニット２１側の前記従動ジョイントギヤ７６Ａに噛み合う駆動ジョイントギヤ１２４とを有している。
【０１０５】
出力ギヤ１２３の付近には、カム円板５５の回転角度を制御するためのモードスイッチ１２５が設けられている。このモードスイッチ１２５は、中間ギヤ１２６を介して出力ギヤ１２３に噛み合うとともに、カム円板５５と同期して、等角度で回転するスイッチギヤ１２５ａを有している。モードスイッチ１２５は、スイッチギヤ１２５ａが複数の所定の回転角度においてＯＮ状態になる複数のモードを有しており、前記制御装置７が、それらのモードに応じて、カム円板５５の回転角度を識別する。
【０１０６】
シリンダヘッド・スクレーパ駆動機構１０５は、ＤＣモータから成る第２モータ１３１と、この第２モータ１３１に接続され、上下方向に延びかつ両端部が外部に突出する出力軸（図示せず）を有するギヤボックス１３２と、上記出力軸の上下端部にそれぞれ設けられたシリンダヘッド駆動部（図示せず）およびスクレーパ駆動部１３３（抽出滓排出手段）などで構成されている。シリンダヘッド駆動部は、シリンダヘッド１０１のスライダ１１２の後端部に係合しており、上記出力軸の回転に伴って回転することにより、シリンダヘッド１０１を、待機位置（図１８の実線で示す位置）と、シリンダ２３を閉鎖する閉鎖位置（図１８の２点鎖線で示す位置）との間で、前後方向に駆動する。
【０１０７】
一方、スクレーパ駆動部１３３は、水平に所定長さ延びるアーム１３３ａと、その先端部から下方に突出する係合凸部１３３ｂとを有している。メッシュブリュア２Ｂの本体駆動ユニット２２において、フレーム１０３の前方から中央部開口１０３ｂにスクレーパ１０２がセットされたときに、スクレーパ駆動部１３３の係合凸部１３３ｂが、スクレーパ１０２の後端部の切欠き１０２ｄを介して、係合溝１０２ｃに係合する。シリンダヘッド・スクレーパ駆動機構１０５の上記出力軸の回転に伴って、スクレーパ駆動部１３３が回転することにより、係合凸部１３３ｂがスクレーパ１０２の係合溝１０２ｃ内を摺動する。これにより、スクレーパ１０２は、待機位置（図１９の実線で示す位置）と、スクレーパ本体１０２ｂがフィルタブロック３２の前端よりも前方の位置（図１９の２点鎖線で示す位置）との間で、前後方向に移動する。
【０１０８】
なお、上記のシリンダヘッド駆動部およびスクレーパ駆動部１３３はいずれも、ワンウェイクラッチを介して出力軸に連結されており、出力軸が所定方向に回転したときにシリンダヘッド駆動部のみが回転し、出力軸が上記と逆方向に回転したときにスクレーパ駆動部１３３のみが回転するようになっている。
【０１０９】
ピンチ駆動機構１０６は、コーヒー抽出時に、コーヒーやエアを搬送するための搬送チューブ９の複数の所定箇所を開閉するためのピンチ８を駆動するものである。ここで、図１、２を参照して、搬送チューブ９およびピンチ８配置関係について簡単に説明する。両図に示すように、搬送チューブ９は、エアポンプ１０７とシリンダヘッド１０１の間に接続された第１エア搬送チューブ９Ａと、エアポンプ１０７と本体駆動ユニット２２側のジョイントホース１４０の間に接続された第２エア搬送チューブ９Ｂと、ジョイントホース１４０に接続された飲料搬送チューブ９Ｃとで構成されている。これらの搬送チューブ９Ａ〜９Ｃはいずれも、ゴムなどの弾性材で構成されている。上記ジョイントホース１４０は、本体駆動ユニット２２の前側の右下端部に設けられており、ドリップユニット２１が本体駆動ユニット２２に取り付けられた状態において、ドリップユニット２１側のジョイントホース４０に接続される。
【０１１０】
また、ピンチ８は、上記搬送チューブ９Ａ〜９Ｃの途中にそれぞれ取り付けられた３つのピンチ、具体的には、第１エアピンチ８Ａ、第２エアピンチ８Ｂおよび飲料ピンチ８Ｃで構成されている。これらのピンチ８Ａ〜８Ｃは、同じものである。図２０に示すように、各ピンチ８は、自身が取り付けられた搬送チューブ９の部分を保持するチューブホルダ１４１と、チューブホルダ１４１に回動自在に取り付けられ、これと協働して搬送チューブ９を押し潰し、閉鎖するためのピンチ本体１４２と、このピンチ本体１４２の搬送チューブ９と反対側に回転自在に設けられ、ピンチ本体１４２を搬送チューブ９側に押圧するための所定形状のカム１４３とで構成されている。
【０１１１】
このように構成されたピンチ８Ａ〜８Ｃは、第１および第２エアピンチ８Ａ、８Ｂが、左右に隣接して配置され、飲料ピンチ８Ｃが、第１エアピンチ８Ａの前方にこれに対向するように配置されている。なお、これらのピンチ８Ａ〜８Ｃでは、カム１４３が共通化されている。
【０１１２】
ピンチ駆動機構１０６は、前述したカム駆動機構１０４と共通の第１モータ１２１およびギヤボックス１２２と、その出力軸の右端部に固定された出力ギヤ１４４と、これに噛み合うとともに、ピンチ８のカム１４３の回転シャフト１４５に固定された駆動ギヤ１４６などを備えている。
【０１１３】
上述したように、カム駆動機構１０４およびピンチ駆動機構１０６は、第１モータ１２１を共通の駆動源とし、前者１０４によるカム円板５５、フィルタブロック３２、シリンダヘッドロック部材５７および廃液チューブピンチ部材５８と、後者１０６による３つのピンチ８Ａ〜８Ｃとを、相互に連係するように駆動する。これにより、コーヒーの抽出時において、シリンダ２３の上面および下面の開閉、廃液チューブピンチ部材５８による廃液チューブ５０の開閉、ならびにピンチ８Ａ〜８Ｃによる搬送チューブ９Ａ〜９Ｃの開閉を、効率良くかつ適切に行うことができる。
【０１１４】
次に、図２１〜図２８を参照して、ペーパーブリュア２Ａのペーパーフィルタ送出し装置２０１について説明する。このペーパーフィルタ送出し装置２０１は、ペーパーフィルタＰを保持するペーパーホルダユニット２０２と、このペーパーホルダユニット２０２を駆動するペーパー駆動ユニット２０３とで構成されている。ペーパーホルダユニット２０２は、ドリップユニット２１の底面に、前後方向にスライドしながら着脱自在に取り付けられる一方、ペーパー駆動ユニット２０３は、本体駆動ユニット２２の底面左端部に、前後方向にスライドしながら着脱自在に取り付けられている。
【０１１５】
図２２、２３および２４に示すように、ペーパーホルダユニット２０２は、ドリップユニット２１のシリンダ２３の外径よりも幅広の帯状の連続するペーパーフィルタＰと、このペーパーフィルタＰを送出し可能に保持するホルダ本体２０４（ホルダ部）と、ホルダ本体２０４の前側上部に設けられた左右２つのペーパー送りドラム２０５、２０５（ペーパー送りローラ）と、ホルダ本体２０４の前端部に、両ペーパー送りドラム２０５、２０５を覆うように取り付けられたペーパーセットドア２０６（ペーパー挟持ローラ支持部材）と、ホルダ本体２０４の背面側に設けられたペーパー切れ検出レバー２０７と、ホルダ本体２０４の左側壁に内蔵され、ペーパー送りドラム２０５、２０５を回転駆動するためのドラム駆動機構２０８（送出し機構）などを備えている。
【０１１６】
ペーパーフィルタＰは、コーヒー抽出用の一般的なものと同様、植物繊維などをきめ細かく織って作製されており、前述したメッシュフィルタ７２よりもろ過度合が高くなっている。また、ペーパーフィルタＰは、所定の内径を有する円筒状の芯部Ｐｓの周囲にロール状に巻かれたロール部Ｐｒを有している。
【０１１７】
ホルダ本体２０４は、下面および前面下半部が開放するボックス状に形成され、内部にペーパーフィルタＰのロール部Ｐｒを収容するプラスチック製のフレーム２１１（ロール部収容ケース）を備えている。フレーム２１１は、その中央部が、図２３（ｂ）に示すように、背面側から前面側にわたり、上方に凸の円弧状に形成されており、その天井部において取り付けられ、前面下端部まで延びるフィルムカバー２１２によって、前面下半部が覆われている。また、フレーム２１１は、左右の側壁２１３、２１３を有しており、左側の側壁２１３の外側にカバー２１５が取り付けられている。両側壁２１３、２１３にはいずれも、ほぼ中央の左右対称な位置に、所定の径を有する円形の開口２１３ａが形成されている。そして、各側壁２１３の外側には、開口２１３ａを介して、フレーム２１１の内部に対して出没自在に構成され、ペーパーフィルタＰのロール部Ｐｒを支持するロール部支持部材２１６が取り付けられている。
【０１１８】
ロール部支持部材２１６は、プラスチックの成形品で構成され、図２４に示すように、側面形状が上記開口２１３ａよりも一回り小さい円形の凸部２１６ａと、この凸部２１６ａから下方に延び、可撓性を有する所定形状の脚部２１６ｂとで構成されている。凸部２１６ａは、側壁２１３の開口２１３ａからフレーム２１１の内方に若干突出するように配置され、凸部２１６ａの下半部に、下方に向かって側壁２１３に接近するように傾斜する傾斜面２１６ｃが形成されている。以上のように構成された左右のロール部支持部材２１６により、ペーパーフィルタＰのロール部Ｐｒは、その芯部Ｐｓに凸部２１６ａが挿入された状態で、回転自在に支持されている。
【０１１９】
また、ペーパーホルダユニット２０２へのペーパーフィルタＰの取付けおよび取外しは、次のように簡単に行える。すなわち、ペーパーフィルタＰのロール部Ｐｒを、ホルダ本体２０４の下方からその内部に挿し入れると、ロール部Ｐｒの左右の端面が左右のロール部支持部材２１６の凸部２１６ａの傾斜面２１６ｃに当接しながら、各凸部２１６ａを側壁２１３側に押圧し、それにより、内方に突出していた各凸部２１６ａが側壁２１３側に退避する。つまり、両凸部２１６ａ、２１６ａは、左右に押し広げられる（図２４（ｂ）の２点鎖線で示す状態）。そして、ロール部Ｐｒの芯部Ｐｓが凸部２１６ａの位置に達したときに、両凸部２１６ａが内方に戻り、芯部Ｐｓに係合する。このように、ペーパーフィルタＰの取付けは、ロール部Ｐｒをホルダ本体２０４に下方から挿し入れるだけで、簡単に行うことができる。
【０１２０】
一方、ペーパーフィルタＰの交換時など、ペーパーホルダユニット２０２からペーパーフィルタＰのロール部Ｐｒを取り外す場合には、そのロール部Ｐｒを、ホルダ本体２０４内で一旦押し上げる。この場合、ロール部Ｐｒの芯部Ｐｓの下半部の縁部が、左右のロール部支持部材２１６の傾斜面２１６ｃに当接し、それにより、上述したペーパーフィルタＰの取付け時と同様、左右のロール部支持部材２１６の凸部２１６ａ、２１６ａが左右に押し広げられる。そして、この状態から、ロール部Ｐｒを斜め下前方に引き出す。これにより、ロール部Ｐｒは、ホルダ本体２０４の前面下半部を介して、前方に取り出される。以上のように、ペーパーフィルタＰの取外しも、上述した手順により、簡単に行うことができる。
【０１２１】
なお、各ロール部支持部材２１６は、その脚部２１６ｂにおいて、所定の抜止め部材２１７により、フレーム２１１の側壁２１３にしっかりと取り付けられている。したがって、上述したペーパーフィルタＰの取付けおよび取外しの際に、凸部２１６ａがロール部Ｐｒで押圧されても、ロール部支持部材２１６が、フレーム２１１の側壁２１３から外れることはない。
【０１２２】
図２２および図２３に示すように、左右のペーパー送りドラム２０５、２０５は、形状およびサイズが互いに同じものであり、ホルダ本体２０４の左右の側壁２１３、２１３間にわたって左右方向に延び、かつ両側壁２１３、２１３に回転自在に支持されたドラムシャフト２１８に、互いに左右方向に間隔を隔てて固定されている。このペーパー送りドラム２０５は、所定の厚さおよび径を有する円弧部２０５ａと、この円弧部２０５ａの両端に直線的に連なる直線部２０５ｂ（非挟持部）と、この直線部２０５ｂの内側縁部に突設され、円弧部２０５ａの径よりも小さい径を有する小円弧部２０５ｃとにより、所定形状に形成されている。円弧部２０５ａには、その周方向に沿って、多数の歯が形成されている。
【０１２３】
ペーパーセットドア２０６は、左右方向に延びるドア本体２２１と、このドア本体２２１の両端部から直角に延び、側面形状が「く」字状の左右のアーム２２２、２２２とを備えている。ドア本体２２１の背面には、左右方向に延びるローラシャフト２２３が固定され、その両端部に、両ペーパー送りドラム２０５、２０５にそれぞれ対応するように、ローラ２２４、２２４（ペーパー挟持ローラ）が回転自在に支持されている。また、ドア本体２２１の前面には、ペーパーフィルタＰで抽出滓を排出する際に、その抽出滓をペーパーフィルタＰから分離するための滓分離プレート２２５（抽出滓分離部）が取り付けられている。この滓分離プレート２２５は、ペーパーホルダユニット２０２が前記ドリップユニット２１に取り付けられた状態において、ドア本体２２１からドリップユニット２１の前側のガイドローラ３８付近まで、後ろ上がりに傾斜するように延びている。
【０１２４】
左右のアーム２２２、２２２は、その先端部の外面に突設された係合凸部２２２ａが、ホルダ本体２０４の左右の側壁２１３の前端部に形成された縦長の係合孔２１３ｂに、内側から挿入された状態で、回動自在に支持されている。また、各アーム２２２の長さ方向のほぼ中央部と、対応する側壁２１３との間には、ペーパーセットドア２０６をホルダ本体２０４側に付勢するばね２２６が取り付けられている。さらに、各アーム２２２のドア本体２２１寄りの所定位置には、外方に突出し、対応する側壁２１３の前端上部に設けられた係止部２１３ｃに係止されることによって、ペーパーセットドア２０６を閉鎖した状態にロックするためのロック部２２２ｂが設けられている。
【０１２５】
ペーパーフィルタＰは、ホルダ本体２０４の背面下端部のガイドローラ２０４ａ、およびドリップユニット２１の後ろ側のガイドローラ３９で案内され、シリンダ２３とフィルタブロック３２の間を通り、さらにドリップユニット２１の前側のガイドローラ３８で案内され、ドリップユニット２１の前側において垂下するようにセットされる。そして、ペーパーフィルタＰの垂下した部分が、上記のように構成された左右のペーパー送りドラム２０５、２０５、およびペーパーセットドア２０６の両ローラ２２４、２２４によって挟持される。ペーパー送りドラム２０５、２０５が、ドラム駆動機構２０８によって、所定方向（図２３（ｂ）における時計方向）に回転駆動されることにより、上記のようにセットされたペーパーフィルタＰが、ホルダ本体２０４内のロール部Ｐｒ側から送られる。
【０１２６】
また、図２２（ｂ）および図２３（ｂ）に示すように、両ペーパー送りドラム２０５、２０５は、ペーパーフィルタＰの送出し以外の待機時に、各直線部２０５ｂが対応するローラ２２４、２２４に対向するようになっている。この場合、ペーパーフィルタＰは、ペーパー送りドラム２０５とローラ２２４とで挟持されない。したがって、ペーパーブリュア２Ａのメンテナンスなどの際に、ペーパーフィルタＰを、ペーパー送りドラム２０５およびローラ２２４の下方に、手動で簡単に引き出すことができる。また、コーヒーの抽出時におけるフィルタブロック３２の上昇に伴い、ペーパーフィルタＰがフィルタブロック３２側に引っ張られた場合でも、ペーパーフィルタＰがペーパー送りドラム２０５およびローラ２２４で挟持されていないので、ペーパーフィルタＰが破れるなどの不具合を回避することができる。
【０１２７】
また、ペーパーフィルタＰを、ペーパー送りドラム２０５とローラ２２４の間にセットする場合、図２３（ｂ）に示すように、ペーパーセットドア２０６を前側に回動させることで開放することにより（離隔位置）、ペーパー送りドラム２０５とローラ２２４の間に比較的大きなスペースを確保することができる。そして、そのスペースにペーパーフィルタＰを通した後で、ペーパーセットドア２０６を元の状態に閉鎖する（押圧位置）。このように、ペーパーセットドア２０６を開閉することにより、ペーパーフィルタＰの上記セットを簡単に行うことができる。
【０１２８】
図２３（ｂ）および図２５に示すように、ペーパー切れ検出レバー２０７は、ホルダ本体２０４のフレーム２１１の背面下端部に、左右方向に水平に延びる支軸２０７ａを中心に回動自在に支持されている。また、ペーパー切れ検出レバー２０７は、支軸２０７ａの右端部（図２５（ａ）の上端部）から上方に延びる長尺のレバー本体２０７ｂと、支軸２０７ａの左端部（図２５（ａ）の下端部）から斜め下後方に若干延びる検出レバー部２０７ｃとを有している。前者２０７ｂは、フレーム２１１の内側に位置し、後者２０７ｃは、フレーム２１１の後方に突出している。また、ペーパー切れ検出レバー２０７の支軸２０７ａの左端部には、ねじりばね２２８が取り付けられており、このねじりばね２２８により、ペーパー切れ検出レバー２０７が、図２３（ｂ）において、時計方向に付勢されている。したがって、同図に示すように、ペーパー切れ検出レバー２０７では、レバー本体２０７ｂがペーパーフィルタＰのロール部Ｐｒの外周面に当接しており、図２５（ｂ）に示すように、ロール部Ｐｒの径の縮小に伴い、それに追従しながら、ペーパー切れ検出レバー２０７が時計方向に回動する。これに伴い、検出レバー部２０７ｃは、上方に回動し、そのことが、ペーパー駆動ユニット２０３側の後述するペーパー切れ検出スイッチ２４７によって検出される。
【０１２９】
次に、左右のペーパー送りドラム２０５、２０５を回転駆動するドラム駆動機構２０８について説明する。図２４に示すように、ドラム駆動機構２０８は、ホルダ本体２０４の左側壁、すなわちフレーム２１１の左側壁２１３とカバー２１５とで囲まれたスペースに設けられている。このドラム駆動機構２０８は、ドラムシャフト２１８の左側壁２１３から突出する端部に固定された前プーリ２３１と、左側壁２１３の後端部に回転自在に設けられた後プーリ２３２と、両プーリ２３１、２３２に巻き掛けられたタイミングベルト２３３と、後プーリ２３２と共通の支軸２３４に固定され、後プーリ２３２と左側壁２１３との間に配置された従動ギヤ２３５とを備えている。ペーパー駆動ユニット２０３の後述する駆動ギヤ２４４によって、従動ギヤ２３５が所定方向（図２４（ａ）の時計方向）に回転駆動されることにより、後プーリ２３２が同じ方向に回転し、したがって、タイミングベルト２３３を介して、前プーリ２３１も同じ方向に回転する。それにより、左右のペーパー送りドラム２０５、２０５が前述したように回転し、ペーパーフィルタＰを送る。
【０１３０】
また、フレーム２１１の上記従動ギヤ２３５の付近には、ペーパーホルダユニット２０２が、ドリップユニット２１から取り外され、ペーパー駆動ユニット２０３と分離したときに、従動ギヤ２３５をロックするギヤロック機構２３６（ペーパー送りローラロック機構）が設けられている。図２６に示すように、このギヤロック機構２３６は、所定形状のロック部材２３７と、このロック部材２３７を後方（図２６の左方）に付勢するばね２３８で構成されている。ロック部材２３７は、横長リング状に形成され、従動ギヤ２３５の側面に一体に設けられたボス部２３５ａの周囲を囲むリング部２３７ａと、このリング部２３７ａから前方に延び、フレーム２１１の左側壁２１３に前後方向にスライド自在に支持されたスライド部２３７ｂとを有している。また、リング部２３７ａの内側の前端部には、後方に突出するロック凸部２３９が設けられている。
【０１３１】
一方、従動ギヤ２３５のボス部２３５ａの周面の所定位置には、外方に開口する係合凹部２３５ｂが形成されている。この係合凹部２３５ｂは、従動ギヤ２３５が待機位置に位置するときに、図２６に示すように、ロック部材２３７のロック部２３９に対向する。
【０１３２】
上記のように構成されたギヤロック機構２３６では、図２６（ａ）に示すように、ペーパーホルダユニット２０２およびペーパー駆動ユニット２０３が、互いに離れた状態であるときに、ロック部材２３７がばね２３８で付勢され、ロック凸部２３９が従動ギヤ２３５の係合凹部２３５ｂに嵌合する。これにより、従動ギヤ２３５がロックされる。一方、ペーパーホルダユニット２０２およびペーパー駆動ユニット２０３が、互いに連結された状態では、ペーパー駆動ユニット２０３の前端部のロック部材当接部２４１ａが、ロック部材２３７のリング部２３７ａに後方から当接し、ばね２３８の付勢力に抗して、ロック部材２３７を前方に押圧する。これにより、ロック部材２３７のロック部２３９が、従動ギヤ２３５の係合凹部２３５ｂから外れ、その結果、従動ギヤ２３５が回転可能な状態となる。
【０１３３】
このように、ペーパーホルダユニット２０２が、ペーパー駆動ユニット２０３から取り外されたときに、従動ギヤ２３５がロックされるので、これと一体の後プーリ２３２に加えて、これとタイミングベルト２３３を介して連結された前プーリ２３１もロックされる。その結果、前プーリ２３１と共通の回転軸であるドラムシャフト２１８に固定された両ペーパー送りドラム２０５、２０５もロックされる。これにより、ペーパーホルダユニット２０２がペーパー駆動ユニット２０３から取り外された状態において、各ペーパー送りドラム２０５の直線部２０５ｂが、対応するローラ２２４に対向するように、ペーパー送りドラム２０５をロックすることができる。
【０１３４】
前述したように、待機時に、直線部２０５ｂがローラ２２４に対向するように、ペーパー送りドラム２０５が停止していることが好ましい。したがって、メンテナンスなどの際に、ペーパーホルダユニット２０２がペーパー駆動ユニット２０３から取り外され、再度、ペーパー駆動ユニット２０３に取り付けられるまで、ペーパー送りドラム２０５の停止角度位置を保つことができるので、待機時におけるペーパー送りドラム２０５の上記停止角度位置を確保することができる。また、ペーパー送りドラム２０５のロックの解除は、ペーパーホルダユニット２０２をペーパー駆動ユニット２０３に取り付けるだけで、簡単に行うことができる。
【０１３５】
図２７は、ペーパー駆動ユニット２０３を示しており、また図２８は、ペーパー駆動ユニット２０３の内部構造を、ペーパーホルダユニット２０２とともに示している。両図に示すように、ペーパー駆動ユニット２０３は、その外郭を構成するケース２４１内の後部に配置されたモータ２４２（第２駆動源）と、このモータ２４２に接続され、ケース２４１の右側面に取り付けられたギヤボックス２４３と、ケース２４１内の前部に配置され、ギヤボックス２４３の左右方向（図２８の表裏方向）に延びる出力軸２４３ａに固定された駆動ギヤ２４４とを備えている。駆動ギヤ２４４の左側面には、所定位置に係合凹部２４５ａを有するカム２４５が設けられている。また、駆動ギヤ２４４の後方に、カム２４５によってＯＮ／ＯＦＦ切り替えされるマイクロスイッチから成るペーパー送り検出スイッチ２４６が配置されている。このペーパー送り検出スイッチ２４６は、その操作レバー２４６ａの先端部にスイッチローラ２４６ｂを有しており、このスイッチローラ２４６ｂが駆動ギヤ２４４のカム２４５の周面に押圧されることにより、ＯＮ状態となり、スイッチローラ２４６ｂがカム２４５の係合凹部２４５ａに対向し、押圧が解除されることにより、ＯＦＦ状態となる。
【０１３６】
また、ペーパー駆動ユニット２０３には、ケース２４１の下端部に、マイクロスイッチから成るペーパー切れ検出スイッチ２４７（スイッチ）が設けられ、その下側に、これをＯＮ／ＯＦＦ切り替えする切替えレバー２４８が配置されている。ペーパー切れ検出スイッチ２４７は、その操作レバー２４７ａの先端部にスイッチローラ２４７ｂを有しており、このスイッチローラ２４７ｂが切替えレバー２４８によって下方から押圧されることにより、ＯＮ状態となり、その押圧が解除されることにより、ＯＦＦ状態となる。
【０１３７】
図２８（ａ）に示すように、切替えレバー２４８は、前後方向に延び、後端部（同図の左端部）の支点２４８ａを中心として、ペーパー切れ検出スイッチ２４７をＯＮ状態に切り替えるＯＮ切替え位置（図２８（ａ）に示す位置）と、ＯＦＦ状態に切り替えるＯＦＦ切替え位置（図２８（ｂ）に示す位置）との間で、ケース２４１に回動自在に支持されている。また、切替えレバー２４８の前端部には、斜め上および斜め下に延びる二股状の係合部２４８ｂが設けられている。さらに、切替えレバー２４８の支点２４８ａには、ねじりばね２４９（付勢手段）が設けられ、このねじりばね２４９により、切替えレバー２４８が、図２８において反時計方向に付勢されている。
【０１３８】
したがって、図２８（ａ）に示すように、ペーパーホルダユニット２０２とペーパー駆動ユニット２０３が分離した状態では、ペーパー切れ検出スイッチ２４７が、切替えレバー２４８に下方から押圧され、ＯＮ状態となる。一方、同図（ｂ）に示すように、ペーパーホルダユニット２０２がペーパー駆動ユニット２０３に取り付けられた状態では、ペーパーホルダユニット２０２側のペーパー切れ検出レバー２０７の検出レバー部２０７ｃが、ペーパー駆動ユニット２０３側の切替えレバー２４８の前端部の係合部２４８ｂに係合する。
【０１３９】
図２３（ｂ）に示すように、ペーパーフィルタＰの残量が十分ある場合には、ペーパー切れ検出レバー２０７の下端部の検出レバー部２０７ｃは、後方斜め下に延びるように位置する。この場合、図２８（ｂ）に示すように、検出レバー部２０７ｃは、ペーパー駆動ユニット２０３の切替えレバー２４８の係合部２４８ｂに係合し、これを下方に押圧する。これにより、切替えレバー２４８は、ＯＦＦ切替え位置に位置し、その結果、ペーパー切れ検出スイッチ２４７がＯＦＦ状態であることで、前記制御装置７により、ペーパー切れでないと判別される。
【０１４０】
一方、コーヒーの抽出によるペーパーフィルタＰの使用に伴い、ペーパーフィルタＰのロール部Ｐｒの径が、図２５（ｂ）の２点鎖線で示すように小さくなり、所定の径に達すると、ペーパー切れ検出レバー２０７の下端部の検出レバー部２０７ｃが、ほぼ水平に延びるように位置する。これより、検出レバー部２０７によるペーパー駆動ユニット２０３側の切替えレバー２４８の押圧が解除される。それにより、切替えレバー２４８は、ねじりばね２４９の付勢力により、ＯＮ切替え位置に位置し、その結果、ペーパー切れ検出スイッチ２４７がＯＮ状態であることで、制御装置７により、ペーパー切れであると判別される。
【０１４１】
また、上記のペーパー切れ検出レバー２０７は、ペーパー切れに加えて、ペーパーホルダユニット２０２がペーパー駆動ユニット２０３に適正に取り付けられているか否かの判別にも利用される。すなわち、ペーパーホルダユニット２０２がペーパー駆動ユニット２０３から取り外されたときには、図２８（ａ）に示すように、ペーパー駆動ユニット２０３の切替えレバー２４８がＯＮ切替え位置に位置し、ペーパー切れ検出スイッチ２４７がＯＮ状態となる。この状態から、ペーパーホルダユニット２０２がペーパー駆動ユニット２０３に適正に取り付けられたときには、図２８（ｂ）に示すように、ペーパー切れ検出レバー２０７の検出レバー部２０７ｃが、ペーパー駆動ユニット２０３側の切替えレバー２４８の係合部２４８ｂに係合し、これを下方に押圧する。これにより、切替えレバー２４８は、ＯＦＦ切替え位置に位置し、その結果、ペーパー切れ検出スイッチ２４７がＯＮ状態からＯＦＦ状態になることで、制御装置７により、ペーパーホルダユニット２０２が適正に取り付けられたと判別される。
【０１４２】
一方、ペーパーホルダユニット２０２がペーパー駆動ユニット２０３に適正に取り付けられていないときには、ペーパー切れ検出レバー２０７の検出レバー部２０７ｃが、ペーパー駆動ユニット２０３側の切替えレバー２４８に適正に係合しないことで、切替えレバー２４８がＯＮ切替え位置に維持され、その結果、ペーパー切れ検出スイッチ２４７がＯＮ状態のままとなる。つまり、ペーパーホルダユニット２０２をペーパー駆動ユニット２０３に取り付けたときに、本来、ペーパ切れ検出スイッチ２４７がＯＦＦ状態になるはずであるのに、ペーパー切れ検出スイッチ２４７がＯＮ状態のままであることで、ペーパーホルダユニットが適正に取り付けられていないと判別することが可能である。以上のように、ペーパー切れ検出レバー２０７を利用して、ペーパーホルダユニット２０２がペーパー駆動ユニット２０３に適正に取り付けられているか否かを、容易に判別することができる。
【０１４３】
次に、以上のように構成されたコーヒー抽出装置２の動作について、図２９〜図３３のフローチャート、および図３４〜図４４の動作図を参照しながら説明する。なお、動作図では、上段にカム円板５５の回転動作を中心に示し、下段にフィルタブロック３２およびシリンダヘッド１０１の動作を中心に示すものとする。また、以下の説明ではまず、ペーパーブリュア２Ａによるコーヒーの調理動作について、図３４〜図３７の動作図を参照して説明し、その後で、メッシュブリュア２Ｂによるコーヒーの調理動作について説明する。
【０１４４】
図２９は、ペーパーブリュア２Ａおよびメッシュブリュア２Ｂをそれぞれ備えたカップ式自動販売機１Ａおよび１Ｂにおいて、購入者によるコーヒーの商品選択ボタンの操作に基づく販売指令があったときの販売動作の実行処理（メインルーチン）を示している。この制御プログラムは、カップ式自動販売機１Ａおよび１Ｂのいずれにも対応しており、両ブリュア２Ａおよび２Ｂに対し共通化されたものである。
【０１４５】
また、図３４（ａ）は、ペーパーブリュア２Ａの待機状態を示している。この待機状態では、カム円板５５、フィルタブロック３２およびシリンダヘッド１０１が、それぞれの待機位置に位置するとともに、シリンダ２３の上面および下面がいずれも開放されている。なお、この待機状態では、図４５の（１）に示すように、第１エアピンチ８Ａ、第２エアピンチ８Ｂおよび飲料ピンチ８Ｃがいずれも開放状態であり、したがって、ピンチ８Ａから８Ｃにそれぞれ対応する搬送チューブ９Ａ〜９Ｃがいずれも開放されている。
【０１４６】
図２９に示す販売動作のメインルーチンではまず、ステップ１（「Ｓ１」と図示。以下同じ）において、抽出滓排出用イニシャル処理（サブルーチン）を実行する。図３０は、抽出滓排出用イニシャル処理を示している。同図に示すように、本サブルーチンではまず、ペーパーフィルタＰが有るか否かを判別する（ステップ２１）。具体的には、ブリュア本体２０にペーパー駆動ユニット２０３が取り付けられ、このペーパー駆動ユニット２０３のモータ２４２が制御装置７に電気的に接続されているか否かによって判別される。ペーパーブリュア２Ａは、ペーパー駆動ユニット２０３を備えているので、上記ステップ２２の判別結果がＹＥＳとなり、そのまま本サブルーチンを終了する。
【０１４７】
図２９のメインルーチンに戻り、ステップ２において、フィルタブロック３２を上昇させる。具体的には、本体駆動ユニット２２において、カム駆動機構１０４の第１モータ１２１が所定方向に回転することにより、ドリップユニット２１のカム円板５５が、図３４において時計方向に回転する。それにより、カム円板５５の第１カム溝５３に係合するスライダ５６が上昇し、これに支持されたフィルタブロック３２が、その上側のペーパーフィルタＰとともに上昇する。この場合、スライダ５６の上昇途中において、スライダ５６の長孔５６ｂの下縁部が、廃液チューブピンチ部材５８の係合凸部５８ａに当接し、その後、スライダ５６の上昇に伴って、廃液チューブピンチ部材５８も上昇する。そして、図３４（ｂ）に示すように、カム円板５５が待機位置から約１８０度回転することにより、フィルタブロック３２がシリンダ２３の下面にペーパーフィルタＰを押し当てた状態で、シリンダ２３の下面をシールする。またこの場合、廃液チューブピンチ部材５８が、その押圧部５８ｂと押さえばね５９との間で、廃液チューブ５０を押し潰すことにより、これを閉鎖する。
【０１４８】
次いで、この状態において、原料供給装置３および給湯装置４からそれぞれ、所定量の原料（例えば１０ｇ）および湯（例えば１０５ｍｌ）を、シリンダ２３内に供給する（ステップ３）。具体的には、原料は、ホルダカバー３７の原料投入口３７ａおよびシリンダヘッド１０１の補助原料シュート１１５を介して、シリンダ２３に供給される。また、購入者によって、コーヒーの増量ボタンが操作され、後述する大容量抽出を実行する場合には、上記よりも多い原料（例えば１５ｇ）をシリンダ２３に供給する。一方、湯は、ホルダカバー３７の湯供給口３７ｂおよびシリンダヘッド１０１の補助給湯ノズル１１６ａを介して、シリンダ２３に供給される。なお、この原料・湯の供給状態では、図４５の（２）に示すように、第２エアピンチ８Ｂのみが開放状態となり、他のピンチ８Ａおよび８Ｃがいずれも閉鎖状態になっている。
【０１４９】
また、原料および湯の供給後、上記の状態のまま、エアポンプ１０７を所定時間、作動させることにより、攪拌用エアをシリンダ２３に供給する（ステップ４）。具体的には、エアポンプ１０７から、第２エア搬送チューブ９Ｂおよびフィルタブロックチューブ３２ａを介して、エアがフィルタブロック３２に送られる。これにより、そのエアが、フィルタブロック３２のメッシュフィルタ７２およびペーパーフィルタＰを通過し、シリンダ２３内の原料および湯を攪拌する。
【０１５０】
上記攪拌の終了後、図３４（ｃ）に示すように、給湯装置４から、後湯として所定量の湯（例えば５０ｍｌ）を、シリンダ２３内に供給する（ステップ５）。このように後湯を供給することにより、原料供給時に原料がシリンダ２３の内面上部に付着した場合でも、その原料を、後湯によってシリンダ２３の内面から脱離させることができる。その結果、シリンダ２３に供給されたすべての原料を、コーヒーの調理に有効に使用できるとともに、シリンダ２３に付着していた原料が次回の販売時に使用されるのを防止することで、次回の販売に、良質のコーヒーを調理することができる。
【０１５１】
次いで、本体駆動ユニット２２において、シリンダヘッド・スクレーパ駆動機構１０５の第２モータ１３１が所定方向に回転することにより、シリンダヘッド駆動部が所定角度（例えば１８０度）、回転し、それにより、待機位置のシリンダヘッド１０１が前進する（ステップ６）。具体的には、図３５（ａ）に示すように、シリンダヘッド１０１のヘッド本体１１１がシリンダ２３の真上に到達する。そして、この状態のまま、エアポンプ１０７を所定時間、再度作動させることにより、上述した攪拌と同様、攪拌用エアをシリンダ２３に供給する（ステップ７）。以上により、シリンダ２３の内部において、コーヒーが抽出される。
【０１５２】
次いで、カム駆動機構１０４の第１モータ１２１が再度回転し、それにより、カム円板５５がさらに回転する。そして、図３５（ｂ）に示すように、カム円板５５が待機位置から約２４０度回転することにより、カム円板５５の第２カム溝５４に係合するシリンダヘッドロック部材５７が、同図において時計方向に若干回動し、そのロック部５７ｂによって、ヘッドガイドロッド１１３を下方に押し下げ、シリンダヘッド１０１をロックする（ステップ８）。これにより、シリンダヘッド１０１は、ヘッド本体１１１がシリンダ２３の上面に当接した状態でこれをシールする。なお、この状態では、図４５の（３）に示すように、第１エアピンチ８Ａおよび飲料ピンチ８Ｃが開放状態となる一方、第２エアピンチ８Ｂが閉鎖状態となる。
【０１５３】
そして、ステップ９において、コーヒーの抽出処理（サブルーチン）を実行する。図３１は、コーヒー抽出処理を示している。同図に示すように、本サブルーチンではまず、前述したステップ２１と同様にして、ペーパーフィルタＰが有るか否かを判別する（ステップ３１）。ペーパーブリュア２Ａでは、ステップ３１の判別結果がＹＥＳとなり、続くステップ３２において、大容量抽出か否かを判別する。この大容量抽出は、購入者によって、コーヒーの増量ボタンが操作されたときに実行されるコーヒーの抽出処理である。
【０１５４】
コーヒーの増量ボタンが操作されていないとき（ステップ３２：ＮＯ）には、ステップ３３に進み、エアポンプ１０７を所定時間、作動させることにより、搬出用エアをシリンダ２３に供給する。具体的には、エアポンプ１０７から、第１エア搬送チューブ９Ａを介して、エアが、シリンダヘッド１０１に送られ、シリンダ２３に供給される。そのエアにより、シリンダ２３内が加圧され、内部で抽出されたコーヒーは、ペーパーフィルタＰおよびメッシュフィルタ７２でろ過され、フィルタブロック３２、フィルタブロックチューブ３２ａ、飲料搬送チューブ９Ｃ、ミキシングボウル５および飲料チューブ１６を順に通って、商品取出口１０にセットされたカップＣに供給される。
【０１５５】
一方、コーヒーの増量ボタンが操作されたとき（ステップ３２：ＹＥＳ）には、ステップ３４に進み、大容量抽出処理（サブルーチン）を実行する（ステップ３４）。図３２は、大容量抽出処理を示している。同図に示すように、本サブルーチンではまず、上述した図３１のステップ３３と同様にして、搬出用エア（１回目）をシリンダ２３に供給する（ステップ４１）。これにより、シリンダ２３内で抽出されたコーヒーは、１回目の抽出によるコーヒーとして、カップＣに供給される。ただしこの場合、シリンダ２３内のコーヒーが完全に搬出される前に、エアポンプ１０７を停止し、すでにシリンダ２３に供給されたエアの残圧によって、コーヒーの搬出を行うのが好ましい。これにより、原料の微粉末がコーヒーとともに搬出され、カップＣに供給されるのを低減し、それにより、雑味の無い良質のコーヒーをカップＣに供給することができる。
【０１５６】
次いで、カム駆動機構１０４の第１モータ１２１が上記と逆方向に回転することにより、カム円板５５も逆方向に所定角度（約６０度、待機位置から約１８０度）、回転する。この場合、図３５（ｃ）に示すように、シリンダヘッドロック部材５７によるヘッドガイドロッド１１３のロックが解除されることで、シリンダヘッド１０１のロックを解除する（ステップ４２）。なおこの場合、そのヘッドガイドロッド１１３は、カム円板５５の凸部５５ｂで押し上げられる。
【０１５７】
次いで、シリンダヘッド・スクレーパ駆動機構１０５の第２モータ１３１が、上記と同じ方向に回転することにより、シリンダヘッド駆動部が、さらに所定角度（例えば１８０度）、回転し、それにより、図３７（ａ）に示すように、シリンダヘッド１０１が後退し、待機位置に戻る（ステップ４３）。これにより、シリンダ２３の上面が開放される。そして、給湯装置４から、追加湯として所定量の湯（例えば１４０ｍｌ）を、シリンダ２３内に供給する（ステップ４４）。
【０１５８】
また、追加湯の供給後、前記ステップ４と同様にして、攪拌用エアをシリンダ２３に供給し（ステップ４５）、シリンダ２３内の既存の原料および追加湯を攪拌する。この攪拌の終了後、前記ステップ６および８と同様にして、待機位置のシリンダヘッド１０１をシリンダ２３の真上まで前進させる（ステップ４６）とともに、そのシリンダヘッド１０１をロックする（ステップ４７）。これにより、図３７（ｂ）に示すように、シリンダ２３の上面がシリンダヘッド１０１でシールされる。そして、図３１のステップ３３と同様にして、搬出用エア（２回目）をシリンダ２３に供給する（ステップ４８）。これにより、シリンダ２３内で抽出されたコーヒーは、２回目の抽出によるコーヒーとして、カップＣに供給される。
【０１５９】
なお、上述した大容量抽出が実行される場合、２回目の抽出によるコーヒーのカップＣへの供給が完了するまで、商品取出口１０の取出口扉１０ａは、図示しないロック機構によって、開放不能になっている。これにより、１回目の抽出によるコーヒーのカップＣへの供給が完了した後に、購入者が誤って、カップＣを商品取出口１０から取り出すのを防止することができる。
【０１６０】
図２９のメインルーチンに戻り、上述したステップ９のコーヒー抽出処理の終了後、図３２の前記ステップ４２と同様にして、シリンダヘッド１０１のロックを解除し（ステップ１０）、その後、前記ステップ４３と同様にして、シリンダヘッド１０１が後退し、待機位置に戻る（ステップ１１）。
【０１６１】
次いで、上記の状態のまま、図３６（ａ）に示すように、給湯装置４から所定量の湯（例えば８ｍｌ）を、シリンダ２３の内面を洗浄するためのリンス湯（１回目）として、シリンダ２３に投入する（ステップ１２）。前述したように、シリンダ２３の内部の形状、および待機位置に位置するシリンダヘッド１０１の補助給湯ノズル１１６ａの位置関係により、補助給湯ノズル１１６ａを介してシリンダ２３に投入されるリンス湯は、シリンダ２３の内面を伝いかつ周方向に拡がりながら流れ落ちる。これにより、シリンダ２３からのコーヒーの搬出後に、シリンダ２３の内面に付着した抽出滓は、リンス湯とともに、下方に流れ落ちる。
【０１６２】
その後、カム駆動機構１０４の第１モータ１２１が上記と同じ方向に回転することにより、カム円板５５が所定角度（約１８０度）、回転し、それにより、図３６（ｂ）に示すように、フィルタブロック３２が下降し（ステップ１３）、待機位置に戻る。この場合、フィルタブロック３２上のペーパーフィルタＰには、抽出滓Ｇが残留する。そして、この状態のまま、同図に示すように、給湯装置４から所定量の湯（例えば１０ｍｌ）を、リンス湯（２回目）として、さらにシリンダ２３に投入する（ステップ１４）。この２回目のリンス湯により、シリンダ２３の下端部に付着・残留していた抽出滓が洗い流され、ペーパーフィルタＰ上に落下する。
【０１６３】
そして、抽出滓排出処理（サブルーチン）を実行して（ステップ１５）、図２９のメインルーチンを終了し、待機状態に戻る。図３３は、抽出滓排出処理を示している。同図に示すように、本サブルーチンではまず、前述したステップ２１と同様にして、ペーパーフィルタＰが有るか否かを判別する（ステップ５１）。ペーパーブリュア２Ａでは、このステップ５１の判別結果がＹＥＳとなり、ペーパーフィルタＰを所定長さ送り（ステップ５２）、それにより、図３６（ｃ）に示すように、ペーパーフィルタＰ上の抽出滓Ｇを前方に排出する。この場合、同図に示すように抽出滓Ｇは、ペーパーホルダユニット２０２の滓分離プレート２２５によって、ペーパーフィルタＰから分離される。そして、排出された抽出滓Ｇは、下方の滓バケツＢに収容される。
【０１６４】
以上により、ペーパーブリュア２Ａを備えたカップ式自動販売機１Ａによるコーヒーの販売が終了する。
【０１６５】
次に、メッシュブリュア２Ｂによるコーヒーの調理動作について、図３８〜図４４の動作図を参照しながら説明する。このメッシュブリュア２Ｂによるコーヒーの調理動作は、上述したペーパーブリュア２Ａに対し、図２９のメインルーチンのうち、ステップ１、１０および１５の３つのサブルーチンのみが異なっており、その他の制御については、上述したペーパーブリュア２Ａと共通している。したがって、以下の説明では、これらのサブルーチンを中心として説明するものとする。
【０１６６】
また、メッシュブリュア２Ｂでは、抽出滓の排出方向があらかじめ、ドリップユニット２１の前方または後方に排出するように設定でき、さらには、所定回数（例えば１〜１０回）ごとに、前方および後方に交互に排出するように設定できるようになっている。したがって、以下の説明では、まず、図３８〜図４１の動作図を参照しながら、抽出滓の排出方向が前方に設定されているメッシュブリュア２Ｂ（以下、適宜「前排出メッシュブリュア２Ｂ」という）の動作について説明し、その後で、図４２〜図４４の動作図を参照しながら、抽出滓の排出方向が後方に設定されているメッシュブリュア２Ｂ（以下、適宜「後排出メッシュブリュア２Ｂ」という）の動作について説明する。
【０１６７】
図３８（ａ）は、前排出メッシュブリュア２Ｂの待機状態を示している。この待機状態では、上述したペーパーブリュア２Ａと同様、カム円板５５、フィルタブロック３２およびシリンダヘッド１０１が、それぞれの待機位置に位置するのに加えて、スクレーパ１０２が、フィルタブロック３２の後方の待機位置に位置している。
【０１６８】
前記図２９に示すように、販売動作のメインルーチンではまず、ステップ１において、サブルーチンである抽出滓排出用イニシャル処理を実行し、本サブルーチンでは、前記図３０に示すように、ペーパーフィルタＰが有るか否かを判別する（ステップ２１）。本例では、メッシュブリュア２Ｂが、ペーパー駆動ユニット２０３を備えていないので、上記ステップ２１の判別結果がＮＯとなり、ステップ２２に進み、スクレーパ１０２による抽出滓の排出方向が前方であるか否かを判別する。本例の前排出メッシュブリュア２Ｂでは、抽出滓の排出方向が前方に設定されているので、上記ステップ２２の判別結果がＹＥＳとなり、そのまま本サブルーチンを終了する。
【０１６９】
図２９のメインルーチンに戻り、前記ステップ２〜８を実行する。図３８（ｂ）、（ｃ）および図３９（ａ）、（ｂ）はそれぞれ、前述したペーパーブリュア２Ａの動作図である図３４（ｂ）、（ｃ）および図３５（ａ）、（ｂ）に対応するものである。
【０１７０】
次いで、ステップ９において、サブルーチンであるコーヒー抽出処理を実行し、本サブルーチンでは、前記図３１に示すように、ペーパーフィルタＰが有るか否かを判別する（ステップ３１）。本例では、上記ステップ３１の判別結果がＮＯとなり、前記ステップ３３を実行し、本サブルーチンを終了する。このステップ３３の実行により、シリンダ２３内で抽出されたコーヒーは、メッシュフィルタ７２でろ過され、商品取出口１０のカップＣに供給される。
【０１７１】
図２９のメインルーチンに戻り、前記ステップ１０〜１４を実行する。図３９（ｃ）および図４０（ａ）、（ｂ）はそれぞれ、前述したペーパーブリュア２Ａの動作図である図３５（ｃ）および図３６（ａ）、（ｂ）に対応するものである。なお、本例では、ステップ１３において、カム円板５５が待機位置を超えた角度位置（待機位置から約−４０度）まで回転する。この場合、図４０（ｂ）に示すように、スライダ５６は、係合凸部５６ａを介して、カム円板５５の第１カム溝５３の近接部６１ａに係合する。以上により、フィルタブロック３２は、待機位置まで一旦、下降した後、その位置よりも若干高い位置に上昇して停止し、そのメッシュフィルタ７２上に抽出滓Ｇが残留する。
【０１７２】
次いで、ステップ１５において、サブルーチンである抽出滓排出処理を実行する。本サブルーチンでは、前記図３３に示すように、ペーパーフィルタＰが有るか否かを判別し（ステップ５１）、本例では、この判別結果がＮＯとなり、ステップ５４に進む。このステップ５４では、抽出滓の排出方向が前方に設定されているか否かを判別する。本例では、この判別結果がＹＥＳとなり、待機位置に位置するスクレーパ１０２が前進し、抽出滓Ｇを前方に排出する（ステップ５７）。具体的には、シリンダヘッド・スクレーパ駆動機構１０５の第２モータ１３１が所定方向に回転することにより、スクレーパ駆動部１３３が約１８０度回転する。これにより、図４０（ｃ）に示すように、スクレーパ１０２が待機位置から前方の抽出滓排出位置まで移動する。この場合、スクレーパ本体１０２ｂの下端が、フィルタブロック３２のメッシュフィルタ７２に摺接しながら、メッシュフィルタ７２上の抽出滓Ｇを掻き取り、前方に排出する。
【０１７３】
また、この抽出滓Ｇの前方への排出後、カム駆動機構１０４の第１モータ１２１が所定方向に回転し、それにより、カム円板５５が、図４０において時計方向に所定角度（例えば約４０度）、回転し、待機位置に戻る。それにより、図４１（ａ）に示すように、フィルタブロック３２が若干下降し、待機位置に戻る（ステップ５８）。この状態では、フィルタブロック３２のメッシュフィルタ７２と、スクレーパ本体１０２ｂの下端との間に、隙間が確保される。
【０１７４】
その後、シリンダヘッド・スクレーパ駆動機構１０５の第２モータ１３１が、上記と同じ方向に回転することにより、スクレーパ駆動部１３３が約１８０度回転する。これにより、図４１（ｂ）に示すように、スクレーパ１０２が後退し、待機位置に戻る（ステップ５９）。
【０１７５】
以上により、前排出メッシュブリュア２Ｂを備えたカップ式自動販売機１Ｂによるコーヒーの販売が終了する。
【０１７６】
次に、抽出滓の排出方向が後方に設定されている後排出メッシュブリュア２Ｂの動作について説明する。図４２（ａ）は、後排出メッシュブリュア２Ｂの待機状態を示している。なお、この待機状態は、上述した前排出メッシュブリュア２Ｂと同じであり、スクレーパ１０２が後方の待機位置に位置している。
【０１７７】
前記図２９に示すように、販売動作のメインルーチンではまず、ステップ１において、サブルーチンである抽出滓排出用イニシャル処理を実行し、本サブルーチンでは、前記図３０のステップ２１および２２の判別を行う。このステップ２２は、スクレーパ１０２による抽出滓の排出方向が前方であるか否かを判別しており、本例のメッシュブリュア２Ｂでは、抽出滓の排出方向が後方に設定されているので、上記ステップ２２の判別結果がＮＯとなり、ステップ２３に進む。
【０１７８】
このステップ２３では、シリンダヘッド・スクレーパ駆動機構１０５の第２モータ１３１が所定方向に回転することにより、スクレーパ駆動部１３３が約１８０度回転する。これにより、図４２（ｂ）に示すように、スクレーパ１０２は、待機位置から前方の前述した抽出滓排出位置と同じ位置（以下「前側待機位置」という）まで移動する。
【０１７９】
図２９のメインルーチンに戻り、前記ステップ２〜１４を実行する。図４２（ｃ）、図４３（ａ）〜（ｃ）および図４４（ａ）、（ｂ）はそれぞれ、抽出滓の前方排出を行う前述した前排出メッシュブリュア２Ｂの動作図である図３８（ｂ）、図３９（ａ）〜（ｃ）および図４０（ａ）、（ｂ）に対応するものである。
【０１８０】
次いで、ステップ１５において、サブルーチンである抽出滓排出処理を実行し、本サブルーチンでは、前記図３３のステップ５１および５４の判別を行う。このステップ５４は、抽出滓の排出方向が前方であるか否かを判別しており、本例の後排出メッシュブリュア２Ｂでは、抽出滓の排出方向が後方に設定されているので、上記ステップ５４の判別結果がＮＯとなり、ステップ５５に進む。
【０１８１】
このステップ５５では、シリンダヘッド・スクレーパ駆動機構１０５の第２モータ１３１が、上記と同じ方向に回転することにより、スクレーパ駆動部１３３が約１８０度回転する。これにより、図４４（ｃ）に示すように、スクレーパ１０２は、前側待機位置から後方に移動することによって、抽出滓Ｇを後方に排出し、待機位置に戻る。
【０１８２】
その後、カム駆動機構１０４の第１モータ１２１が所定方向に回転し、それにより、カム円板５５が、図４４（ｃ）において時計方向に所定角度（例えば約４０度）、回転する。それにより、フィルタブロック３２が若干下降し、待機位置に戻る（ステップ５６、図４２（ａ）参照）。
【０１８３】
以上により、後排出メッシュブリュア２Ｂを備えたカップ式自動販売機１Ｂによるコーヒーの販売が終了する。
【０１８４】
以上詳述したように、本実施形態によれば、ブリュア本体２０に、ペーパーホルダユニット２０２およびペーパー駆動ユニット２０３で構成されるペーパーフィルタ送出し装置２０１を取り付けることにより、ペーパーブリュア２Ａが構成され、ペーパーフィルタ送出し装置２０１を省略することにより、メッシュブリュア２Ｂが構成される。つまり、ブリュア本体２０に対し、ペーパーフィルタ送出し装置２０１を選択的に取り付けることが可能である。
【０１８５】
ペーパーブリュア２Ａでは、シリンダ２３内で抽出されたコーヒーが、メッシュフィルタ７２に加えて、ペーパーフィルタＰによってもろ過され、搬出される。このペーパーブリュア２Ａでは、原料の残渣がほとんど無い、高品質のコーヒーを得ることができる。したがって、例えば、高品質のコーヒーの提供が求められるカップ式自動販売機などの飲料提供機器に搭載するのに適したコーヒー抽出装置２を得ることができる。
【０１８６】
一方、メッシュブリュア２Ｂでは、ペーパーフィルタ送出し装置２０１が取り付けられていない分、装置全体をコンパクトに構成できるとともに、ペーパーフィルタＰが不要な分、ランニングコストを低減でき、加えて、ペーパーフィルタＰの廃棄や交換が不要な分、オペレータにとって、装置の操作を簡易化できる。したがって、例えば、比較的小さな飲料提供機器や操作が簡単な飲料提供機器に搭載するのに適したコーヒー抽出装置２を得ることができる。
【０１８７】
以上のように、本実施形態によれば、搭載すべき飲料提供機器の種類や提供すべきコーヒーの品質などに応じ、ブリュア本体２０に取付け可能なペーパーフィルタ送出し装置２０１の有無を選択することにより、多種類の飲料提供機器に柔軟に対応でき、その結果、コーヒーを抽出によって調理する装置としての統一化を図ることができる。
【０１８８】
次に、図４６〜図５０を参照しながら、ドリップユニット２１におけるメッシュフィルタ７２および取外しレバー８４の変形例、ならびにペーパーホルダユニット２０２におけるロール部支持部材２１６の取付け構造の変形例について、順に説明する。なお、以下の説明では、前述したコーヒー抽出装置２と同じ構成部品については同一の符号を付すものとする。
【０１８９】
図４６は、メッシュフィルタ７２の変形例としてのプラスチック製のメッシュフィルタ（以下「プラスチックフィルタ」という）３０１を示している。このプラスチックフィルタ３０１は、所定の樹脂材料（例えばポリプロピレン）を射出成形することなどにより、所定形状の樹脂成形品で構成されている。具体的には、平面形状が円形に形成された平板状のフィルタ本体部３０２と、このフィルタ本体部３０２の下面に一体に突設され、平面形状が格子状の補強部３０３（フィルタ保持部）によって構成されている。
【０１９０】
フィルタ本体部３０２は、上下方向に貫通する多数の細孔３０２ａを有しており、また、フィルタ本体部３０２の周縁部が、下方に所定長さ垂下するように形成されている。一方、補強部３０３は、縦横３つずつの薄板状のリブ３０４で構成されている。これらのリブ３０４のうち、フィルタ本体部３０２の中心部において互いに直交する２つのリブ３０４、３０４の各々には、互いに間隔を隔てて、下方に突出する２つの凸部３０４ａ、３０４ａが設けられている。これらの凸部３０４ａは、直交する上記２つのリブ３０４、３０４の交点を中心として対称に形成されている。また、各凸部３０４ａは、フィルタ本体部３０２の周縁部の下端よりも下方に突出し、下面が上記交点に向かって前下がりに傾斜している。
【０１９１】
図４７は、上記のプラスチックフィルタ３０１を備えたフィルタブロック３２の縦断面図である。同図に示すように、フィルタブロック３２の支持部材７４は、その中央部に、コーヒーおよびエアが通る通路７４ａを有しており、その上側に、上方に開放する漏斗状のフィルタセット部７４ｂが形成されている。そして、このフィルタセット部７４ｂに、プラスチックフィルタ３０１が載置された状態でセットされる。より具体的には、フィルタ本体部３０２の周縁部の下面および補強部３０３の４つの凸部３０４ａの下面が、フィルタセット部７４ｂに接した状態でセットされる。またこの場合、フィルタ本体部３０２の各細孔３０２ａと支持部材７４の通路７４ａは、補強部３０３の各リブ３０４が邪魔になることなく、連通する。
【０１９２】
以上のように構成されたプラスチックフィルタ３０１を備えたコーヒー抽出装置２では、シリンダ２３内で抽出されたコーヒーをカップＣに供給するために、前述したように、シリンダヘッド１０１を介して、これによって上面がシールされたシリンダ２３にエアが供給される。この場合、シリンダ２３内のコーヒーは、プラスチックフィルタ３０１の細孔３０２ａを通って、支持部材７４のフィルタセット部７４ｂ側に流れ、さらに支持部材７４の通路７４ａに円滑に流れる。またこの場合、プラスチックフィルタ３０１のフィルタ本体部３０２には、シリンダ２３にエアが供給されることで、比較的高い圧力が作用するものの、フィルタ本体部３０２とフィルタセット部７４ｂとの間の補強部３０３により、フィルタ本体部３０２が変形することはない。
【０１９３】
以上のように、前記メッシュフィルタ７２に代えて、プラスチックフィルタ３０１を採用したコーヒー抽出装置２では、メッシュフィルタ７２を採用する場合と同様、シリンダ２３からのコーヒーの円滑かつ安定した搬出を確保することができる。また、金属製のメッシュフィルタ７２に比べて安価なプラスチックフィルタ３０１を採用することにより、コーヒー抽出装置２の製造コストを低減することができる。さらに、プラスチックは一般に、金属に比べて熱伝導率が低いので、プラスチックフィルタ３０１を採用することにより、シリンダ２３内で抽出されるコーヒーの温度低下を抑制することができる。これにより、温度が比較的高く、適温のコーヒーを販売することができるので、例えば、抽出温度を高く維持したり、温度低下したコーヒーの温度を上昇させたりするためのヒータなどを設ける必要がなく、省エネを図ることができる。
【０１９４】
図４８（ａ）は、取外しレバー８４の変形例として、本体駆動ユニット２２に対するドリップユニット２１の装着の適否を表示する機能を有する取外しレバー（以下「機能付き取外しレバー」という）３０５を備えたドリップユニット２１を示している。同図に示すように、この機能付き取外しレバー３０５は、取外しレバー８４の操作部８４ａに対し、側面形状がＬ字状に形成された操作部３０５ａを有している。
【０１９５】
この操作部３０５ａは、その前面に、所定高さを有するインジケータ部３０５ｂを有しており、図４８に示すように、ドリップユニット２１が本体駆動ユニット２２に適正に取り付けられた状態において、インジケータ部３０５ｂの下端が、前面カバー３５の下端と同じ高さになるように構成されている。なおこの場合、機能付き取外しレバー３０５は、本発明のロック位置に位置している。
【０１９６】
また、機能付き取外しレバー３０５は、その重心が支軸４４ｄよりも前側（図４８の左側）に位置するように構成されている。したがって、ドリップユニット２１が本体駆動ユニット２２から取り外された状態では、図４９（ａ）に示すように、機能付き取外しレバー３０５の操作部３０５ａが下方に若干傾斜し、インジケータ部３０５ｂの下端が、前面カバー３５の下端よりも下方に位置する。なおこの場合、機能付き取外しレバー３０５は、本発明の非ロック位置に位置している。
【０１９７】
このように構成された機能付き取外しレバー３０５を備えたドリップユニット２１では、図４９（ｂ）に示すように、本体駆動ユニット２２に対して適正に取り付けられていない場合、機能付き取外しレバー３０５のインジケータ部３０５ｂの下端が、前面カバー３５の下端よりも下方に位置する。これにより、ドリップユニット２１が適正に取り付けられていないことが、ドリップユニット２１の前方から容易に視認することができる。
【０１９８】
以上のように、前記左右の取外しレバー８４、８４に代えて、機能付き取外しレバー３０５、３０５を採用したコーヒー抽出装置２では、取外しレバー８４を採用する場合と同様、左右の機能付き取外しレバー３０５、３０５を操作することにより、ドリップユニット２１を本体駆動ユニット２２から容易に取り外すことができる。また、ドリップユニット２１を本体駆動ユニット２２に取り付けた際に、前面カバー３５に対する各機能付き取外しレバー３０５のインジケータ部３０５ｂの位置を見るだけで、トリップユニット２１が適正に取り付けられているか否かを容易に判断することができる。
【０１９９】
図５０（ａ）は、ペーパーホルダユニット２０２におけるロール部支持部材２１６の取付け構造の変形例を示している。ロール部支持部材２１６は、前述したように、円形の凸部２１６ａ（ロール部支持凸部）と、この凸部２１６ａから下方に延びる脚部２１６ｂとで構成されている。より具体的には、脚部２１６ｂは、同図に示すように、上下方向に延びる中央脚部３０６と、この中央脚部３０６の両側に間隔を隔てて配置され、上下方向に延びる左右のサイド脚部３０７、３０７と、各サイド脚部３０７の所定位置から互いに反対方向に突出する左右一対の支点軸部３０８、３０８とを有している。
【０２００】
両サイド脚部３０７は、下端部同士が中央脚部３０６の下方において連結され、また、上下方向のほぼ中央付近において屈曲し、下端に近づくほど、ホルダ本体２０４の側壁２１３から次第に離れるように形成されている。なお、各サイド脚部３０７には、リブ３０７ｂが設けられている。
【０２０１】
また、一対の支点軸部３０８、３０８はいずれも、中央脚部２０６の下端よりも上方に、かつ対応するサイド脚部３０７の屈曲部付近に設けられている。そして、これらの支点軸部３０８、３０８が、ホルダ本体２０４の側壁２１３に突設された左右一対の係合ガイド３１１、３１１（抜止め支持部、係合部）および係合突起３１２、３１２（抜止め支持部、抜止め突起）によって支持されている。
【０２０２】
両係合ガイド３１１は、ロール部支持部材２１６の脚部２１６ｂの横幅寸法よりも若干広い間隔を隔てた状態で、上下方向に所定長さ延びている。図５０（ｂ）および（ｃ）に示すように、各係合ガイド３１１には、ホルダ本体２０４の側壁２１３との間に、下方に開放する係合凹部３１１ａ（凹部）が設けられている。この係合凹部３１１ａの幅寸法は、ロール部支持部材２１６の支点軸部３０８の直径よりも若干大きく設定されている。一方、各係合突起３１２は、対応する係合ガイド３１１の係合凹部３１１ａの開口付近に位置し、係合ガイド３１１の上記係合凹部３１１ａを構成する部分との間の距離が、ロール部支持部材２１６の支点軸部３０８の直径よりも若干小さく設定されている。
【０２０３】
以上のように構成されたロール部支持部材２１６を、係合ガイド３１１および係合突起３１２を有するホルダ本体２０４の側壁２１３に取り付ける場合、図５０（ｃ）に示すように、ロール部支持部材２１６の各支点軸部３０８を、対応する係合ガイド３１１の係合凹部３１１ａに下方から挿入する。この場合、各支点軸部３０８は、対応する係合突起３１２を乗り越えるようにして、係合凹部３１１ａに圧入される。これにより、各支点軸部３０８は、対応する係合ガイド３１１の係合凹部３１１ａおよび係合突起３１２によって、抜止め状態に支持される。
【０２０４】
このようにして、ホルダ本体２０４の側壁２１３に取り付けられたロール部支持部材２１６は、ホルダ本体２０４へのペーパーフィルタＰの取付けおよび取外しの際に、支点軸部３０８を支点として、中央脚部３０６が撓む（図５０（ｂ）の２点鎖線参照）。そして、ペーパーフィルタＰの取付けおよび取外しの完了に伴い、ロール部支持部材２１６は、中央脚部３０６の復元力により、元の位置に戻る。
【０２０５】
以上のように、このロール部支持部材２１６の取付け構造では、前述したロール部支持部材２１６自体の機能を確保しながら、前記抜止め部材２１７を使用することなく、ロール部支持部材２１６をホルダ本体２０４の側壁２１３に、抜止め状態で直接取り付けることができる。
【０２０６】
なお、本発明は、説明した上記実施形態に限定されることなく、種々の態様で実施することができる。例えば、実施形態では、本発明をコーヒー抽出装置に適用した場合について説明したが、原料として茶葉を用い、茶系飲料を抽出する飲料抽出装置に適用することも、もちろん可能である。また、実施形態で示したペーパーブリュア２Ａおよびメッシュブリュア２Ｂの細部の構成などは、あくまで例示であり、本発明の趣旨の範囲内で適宜、変更することができる。
【符号の説明】
【０２０７】
１    カップ式自動販売機
２    コーヒー抽出装置（飲料抽出装置）
２Ａ  ペーパーブリュア（飲料抽出装置）
２Ｂ  メッシュブリュア（飲料抽出装置）
７    制御装置
２０    ブリュア本体（抽出装置本体）
２１    ドリップユニット（抽出ユニット）
２２    本体駆動ユニット
２３    シリンダ（抽出容器）
３２    フィルタブロック
３５    前面カバー
７２    メッシュフィルタ（パーマネントフィルタ）
７４    支持部材
７４ｂ  フィルタセット部
８５    ロック部
１０２    スクレーパ（抽出滓排出手段）
１０３    フレーム（ケース）
１０４    カム駆動機構
１０５    シリンダヘッド・スクレーパ駆動機構
１０８    ユニットカバー（ケース）
１０９    ペーパーガイドプレート（ペーパーガイド部材）
１２１    第１モータ（第１駆動源）
１３３    スクレーパ駆動部（抽出滓排出手段）
２０１    ペーパーフィルタ送出し装置
２０２    ペーパーホルダユニット
２０３    ペーパー駆動ユニット
２０４    ホルダ本体（ホルダ部）
２０５    ペーパー送りドラム（ペーパー送りローラ）
２０５ｂ  直線部（非挟持部）
２０６    ペーパーセットドア（ペーパー挟持ローラ支持部材）
２０７    ペーパー切れ検出レバー
２０８    ドラム駆動機構（送出し機構）
２１１    フレーム（ロール部収容ケース）
２１３    側壁
２１６    ロール部支持部材
２１６ａ  凸部（ロール部支持凸部）
２１６ｂ  脚部
２２４    ローラ（ペーパー挟持ローラ）
２２５    滓分離プレート（抽出滓分離部）
２３６    ギヤロック機構（ペーパー送りローラロック機構）
２４２    モータ（第２駆動源）
２４７    ペーパー切れ検出スイッチ（スイッチ）
２４８    切替えレバー
２４９    ねじりばね（付勢手段）
３０１    プラスチックフィルタ（パーマネントフィルタ）
３０２    フィルタ本体部
３０２ａ  細孔
３０３    補強部（フィルタ保持部）
３０４    リブ
３０５    機能付き取外しレバー
３０５ｂ  インジケータ部
３０８    支点軸部
３１１    係合ガイド（抜止め支持部、係合部）
３１１ａ  係合凹部（凹部）
３１２    係合突起（抜止め支持部、抜止め突起）
Ｃ      カップ
Ｐ      ペーパーフィルタ
Ｐｒ    ロール部
Ｐｓ    芯部
【図１】
2010179086.tif 000003
【図２】
2010179086.tif 000004
【図３】
2010179086.tif 000005
【図４】
2010179086.tif 000006
【図５】
2010179086.tif 000007
【図６】
2010179086.tif 000008
【図７】
2010179086.tif 000009
【図８】
2010179086.tif 000010
【図９】
2010179086.tif 000011
【図１０】
2010179086.tif 000012
【図１１】
2010179086.tif 000013
【図１２】
2010179086.tif 000014
【図１３】
2010179086.tif 000015
【図１４】
2010179086.tif 000016
【図１５】
2010179086.tif 000017
【図１６】
2010179086.tif 000018
【図１７】
2010179086.tif 000019
【図１８】
2010179086.tif 000020
【図１９】
2010179086.tif 000021
【図２０】
2010179086.tif 000022
【図２１】
2010179086.tif 000023
【図２２】
2010179086.tif 000024
【図２３】
2010179086.tif 000025
【図２４】
2010179086.tif 000026
【図２５】
2010179086.tif 000027
【図２６】
2010179086.tif 000028
【図２７】
2010179086.tif 000029
【図２８】
2010179086.tif 000030
【図２９】
2010179086.tif 000031
【図３０】
2010179086.tif 000032
【図３１】
2010179086.tif 000033
【図３２】
2010179086.tif 000034
【図３３】
2010179086.tif 000035
【図３４】
2010179086.tif 000036
【図３５】
2010179086.tif 000037
【図３６】
2010179086.tif 000038
【図３７】
2010179086.tif 000039
【図３８】
2010179086.tif 000040
【図３９】
2010179086.tif 000041
【図４０】
2010179086.tif 000042
【図４１】
2010179086.tif 000043
【図４２】
2010179086.tif 000044
【図４３】
2010179086.tif 000045
【図４４】
2010179086.tif 000046
【図４５】
2010179086.tif 000047
【図４６】
2010179086.tif 000048
【図４７】
2010179086.tif 000049
【図４８】
2010179086.tif 000050
【図４９】
2010179086.tif 000051
【図５０】
2010179086.tif 000052